(57)【要約】  中間バルブと作動バルブの間に流体的に配置された中間ガスストレージを有する加圧ガス供給装置を含む生体サンプルを検査するための分析器を提案する。バルブがその位置を変更し始める時に中間バルブの電源を切り離し、及び／又は中間バルブの下流に位置付けられた中間ガスストレージの圧力が制御される生体サンプルを検査する方法を提案する。更に、分析器を点検するために主ガスストレージ内の圧力降下が測定されて基準圧力降下と比較される分析器、特にその加圧ガス供給装置を点検する方法を提案する。【選択図】図１０
2022501610.tif 000002
【特許請求の範囲】
【請求項１】
特に生体サンプル（Ｐ）をカートリッジ（１００）を用いて検査するための分析器（２００）であって、
該分析器（２００）が、加圧ガス供給装置（２１４）を含み、
前記加圧ガス供給装置（２１４）は、圧縮器（２１４Ｂ）と、該圧縮器（２１４Ｂ）の下流の主ガスストレージ（２１４Ｃ）と、該主ガスストレージ（２１４Ｃ）の下流の中間バルブ（２９０）と、該中間バルブ（２９０）の下流の少なくとも１つの作動バルブ（２９２、２９３）とを含み、
前記分析器（２００）が、中間ガスストレージ（２１４Ｉ）を含み、該中間ガスストレージ（２１４Ｉ）は、前記中間バルブ（２９０）と前記作動バルブ（２９２、２９３）の間に流体的に配置される、
ことを特徴とする分析器（２００）。
【請求項２】
前記主ガスストレージ（２１４Ｃ）は、前記中間ガスストレージ（２１４Ｉ）の容積よりも好ましくは少なくとも２倍又は３倍、特に少なくとも５倍又は１０倍大きい容積を備えることを特徴とする請求項１に記載の分析器。
【請求項３】
前記分析器（２００）が、前記主ガスストレージ（２１４Ｃ）内の圧力を測定するための主圧力センサ（２１４Ｈ）及び／又は前記中間ガスストレージ（２１４Ｉ）内の圧力を測定するための中間圧力センサ（２１４Ｊ）を含むことを特徴とする請求項１又は請求項２に記載の分析器。
【請求項４】
前記分析器（２００）が、前記カートリッジ（１００）を前記加圧ガス供給装置（２１４）に空圧的に接続するための少なくとも１つの接続要素（２１４Ａ、２１４Ｌ）を有する接続ユニット（２３１）を含み、該接続要素（２１４Ａ、２１４Ｌ）は、前記作動バルブ（２９２、２９３）の下流に流体的に配置され、及び／又は該加圧ガス供給装置（２１４）の出口を形成することを特徴とする請求項１から請求項３のいずれかに記載の分析器。
【請求項５】
前記接続要素（２１４Ａ、２１４Ｌ）は、前記接続ユニット（２３１）を通って及び／又はそこから突出することを特徴とする請求項４に記載の分析器。
【請求項６】
前記接続ユニット（２３１）は、前記カートリッジ（１００）の異なる装置（１１２、１１３）を互いに独立に前記加圧ガス供給装置（２１４）に空圧的に接続する複数の接続要素（２１４Ａ、２１４Ｌ）を含むことを特徴とする請求項４又は請求項５に記載の分析器。
【請求項７】
前記加圧ガス供給装置（２１４）は、複数の作動バルブ（２９２、２９３）を含むことを特徴とする請求項１から請求項６のいずれかに記載の分析器。
【請求項８】
各接続要素（２１４Ａ、２１４Ｌ）が、前記作動バルブ（２９２、２９３）のうちの１つの好ましくは直ぐ下流に配置されることを特徴とする請求項６及び請求項７に記載の分析器。
【請求項９】
前記分析器（２００）が、前記カートリッジ（１００）上の関連のバルブ（１１５Ｂ）を機械的に作動するための少なくとも１つの空圧作動式アクチュエータ（２０５Ｂ）を含み、該アクチュエータ（２０５Ｂ）は、前記中間ガスストレージ（２１４Ｉ）と並列に流体的に配置されることを特徴とする請求項１から請求項８のいずれかに記載の分析器。
【請求項１０】
前記加圧ガス供給装置（２１４）は、前記中間ガスストレージ（２１４Ｉ）と平行に流体的に配置された及び／又は前記アクチュエータ（２０５Ｂ）を前記主ガスストレージ（２１４Ｃ）に及びそこから選択的に流体的に接続及び切断するように適応された作動バルブ（２９４）を含むことを特徴とする請求項１から請求項９のいずれかに記載の分析器。
【請求項１１】
前記中間バルブ（２９０）及び／又は前記作動バルブ（２９２、２９３、２９４）は、ソレノイドバルブ及び／又は特に３／２の有向制御バルブとして構成されることを特徴とする請求項１から請求項１０のいずれかに記載の分析器。
【請求項１２】
カートリッジ（１００）内の流体流れを制御するための少なくとも１つの装置（１１２、１１３、２０５Ｂ）が空圧的に作動され、
前記装置（１１２、１１３、２０５Ｂ）が、圧縮器（２１４Ｂ）と、該圧縮器（２１４Ｂ）の下流の主ガスストレージ（２１４Ｃ）と、該主ガスストレージ（２１４Ｃ）の下流の中間バルブ（２９０）とを有する加圧ガス供給装置（２１４）を用いて加圧ガスを供給される、
カートリッジ（１００）を用いて分析器（２００）内で特に生体サンプル（Ｐ）を検査する方法であって、
前記中間バルブ（２９０）は、ソレノイドバルブとして具現化され、該中間バルブ（２９０）は、それがその最終位置に到達する前に起動又は起動解除され、及び／又は
複数の装置（１１２、１１３、２０５Ｂ）が、前記加圧ガス供給装置（２１４）を用いて空圧的に作動され、前記中間バルブ（２９０）の下流に位置付けられた中間ガスストレージ（２１４Ｉ）の圧力が、起動又は起動解除されることになる該装置（１１２、１１３、２０５Ｂ）に依存して適応される、
ことを特徴とする方法。
【請求項１３】
前記中間バルブ（２９０）の電流が、該中間バルブ（２９０）の位置が変化し始める時及び／又は該中間バルブ（２９０）のバルブ本体が移動し始める時を決定するために測定されることを特徴とする請求項１２に記載の方法。
【請求項１４】
前記中間バルブ（２９０）の電流勾配の変化、特に該電流の局所的極値が、該中間バルブ（２９０）を起動又は起動解除するために及び／又は該中間バルブ（２９０）の位置が変化し始める時及び／又は該中間バルブ（２９０）のバルブ本体が移動し始める時を決定するために決定されることを特徴とする請求項１２又は請求項１３に記載の方法。
【請求項１５】
前記装置（１１２、１１３）は、前記カートリッジ（１００）内に配置されることを特徴とする請求項１２から請求項１４のいずれかに記載の方法。
【請求項１６】
前記複数の装置（１１２、１１３、２０５Ｂ）のうちの１つが、流体を搬送するためのポンプ装置（１１２）として具現化されることを特徴とする請求項１２から請求項１５のいずれかに記載の方法。
【請求項１７】
前記複数の装置（１１２、１１３、２０５Ｂ）のうちの１つが、前記サンプル（Ｐ）の検体を検出するためのセンサ装置（１１３）として具現化されることを特徴とする請求項１２から請求項１６のいずれかに記載の方法。
【請求項１８】
前記カートリッジ（１００）は、前記分析器（２００）によって受け入れられ、前記検査を実施するために該分析器（２００）に機械的、電気的、熱的、及び／又は流体的に結合されることを特徴とする請求項１２から請求項１７のいずれかに記載の方法。
【請求項１９】
分析器（２００）を点検する方法であって、
前記分析器（２００）は、カートリッジ（１００）を用いて特に生体サンプル（Ｐ）を検査するように適応され、
前記カートリッジ（１００）内の流体流れを制御するための少なくとも１つの装置（１１２、１１３、２０５Ｂ）が空圧的に作動され、
前記装置（１１２、１１３、２０５Ｂ）は、圧縮器（２１４Ｂ）と該圧縮器（２１４Ｂ）の下流の主ガスストレージ（２１４Ｃ）とを有する加圧ガス供給装置（２１４）を用いて加圧ガスを供給され、
前記装置（１１２、１１３、２０５Ｂ）の前記作動に関連付けられた圧力降下が、前記分析器（２００）を点検するために測定される、
ことを特徴とする方法。
【請求項２０】
前記分析器（２００）は、請求項１から請求項１１のいずれかに従って構成されることを特徴とする請求項１２から請求項１９のいずれかに記載の方法。
【発明の詳細な説明】
【技術分野】
【０００１】
本発明は、サンプルを検査するための分析器、方法、及び分析器を点検する方法に関する。
【背景技術】
【０００２】
好ましくは、本発明は、例えば、疾患及び／又は病原体の存在に関する分析及び診断に対して及び／又は血球数、抗体、ホルモン、又はステロイドなどの決定に対して最も好ましい特にヒト又は動物からの好ましくは生体サンプルを分析及び検査することを扱うものである。
【０００３】
従って、本発明は、特に生体分析法の分野内のものである。食品サンプル、環境サンプル、又は別のサンプルも、任意的に、特に環境分析法又は食品安全に関して及び／又は他の物質を検出するために検査することができる。
【０００４】
好ましくは、本発明を用いて、サンプルの少なくとも１つの検体（ターゲット検体）を決定、識別、又は検出することができる。特に、サンプルは、例えば疾患及び／又は病原体を検出又は識別するために、少なくとも１つの検体を定性的又は定量的に決定するように検査することができる。
【０００５】
本発明の意味では、検体は、特に核酸配置、特にＤＮＡ配置及び／又はＲＮＡ配置、及び／又は蛋白質、特に抗原及び／又は抗体である。特に、本発明を用いて、核酸配置又は蛋白質は、サンプルの検体として決定、識別、又は検出することができる。最も好ましくは、本発明は、核酸配置を検出又は識別するための核酸アッセイ、又は蛋白質を検出又は識別するための蛋白質アッセイを実施するためのシステム、デバイス、及び他の装置を扱うものである。
【０００６】
本発明は、特にポイントオブケアシステムとして公知であるもの、例えば、モバイルシステム／デバイス及び他のモバイル装置を扱い、サンプリングサイトで及び／又は中央実験室などとは独立に又はそこから離れてサンプルに対して検査を実行する方法を扱う。好ましくは、ポイントオブケアシステムは、自律的に及び／又は電力を供給するための幹線網とは独立に作動させることができる。
【０００７】
ＵＳ  ５，０９６，６６９は、生体サンプル、特に血液サンプルを検査するためのポイントオブケアシステムを開示している。システムは、使い捨てカートリッジと分析器を含む。サンプルを受け入れた状態で、カートリッジは、検査を実行するために分析器の中に挿入される。カートリッジは、マイクロフルイディックシステムと電極を含むセンサ装置とを含み、この装置は、較正液を用いて較正され、その後にサンプルを検査するのに使用される。
【０００８】
更に、ＷＯ  ２００６／１２５７６７  Ａ１は、使い捨てカートリッジと使い捨てカートリッジを使用する全自動処理及び評価分子診断分析のための分析器とを含む統合及び自動ＤＮＡ又は蛋白質分析のためのポイントオブケアシステムを開示している。
【０００９】
ポイントオブケアシステムでは、使用される分析器が簡単かつロバスト方式で構成されること、使用される分析器が低いエネルギ消費を有すること、及び検査を簡単、確実、かつ高速方式で行うことができることが重要である。
【先行技術文献】
【特許文献】
【００１０】
【特許文献１】ＵＳ  ５，０９６，６６９
【特許文献２】ＷＯ  ２００６／１２５７６７  Ａ１
【発明の概要】
【発明が解決しようとする課題】
【００１１】
本発明によって対処される課題は、好ましくは低いエネルギ消費を有し、及び／又は簡単、費用効果的、及び／又は低保守構成、及び／又は簡単、確実、及び／又は高速検査実施が可能である、容易になる、又は達成されるサンプルを検査するための改善された分析器及びサンプルを検査するための改善された方法を提供することである。
【課題を解決するための手段】
【００１２】
この課題は、請求項１に記載の分析器、請求項１２に記載の方法、又は請求項１９に記載の方法によって解決される。有利な発展は、従属請求項の主題である。
【００１３】
提案する分析器は、加圧／圧縮されたガス、特に空気を提供するための加圧／圧縮ガス供給装置を好ましくは含み、加圧ガス供給装置は、好ましくは電気駆動式の圧縮器と、圧縮器の下流の主ガスストレージと、主ガスストレージの下流の中間バルブと、中間バルブの下流の少なくとも１つの作動バルブとを含む。
【００１４】
本発明の一態様により、分析器は、特に主ガスストレージに加えて、主ガスストレージの下流に及び／又は中間バルブと作動バルブの間に流体的に配置された中間ガスストレージを含む。
【００１５】
主ガスストレージ及び／又は中間ガスストレージは、好ましくは、タンク／容器／リザーバとして具現化され、好ましくは、主ガスストレージ及び中間ガスストレージは、特に少なくとも１つの空気圧ラインを用いて互いに流体的に接続される又は接続可能である。
【００１６】
主ガスストレージの容積は、好ましくは、中間ガスストレージの容積よりも好ましくは少なくとも２倍又は３倍、特に少なくとも５倍又は１０倍大きい。
【００１７】
中間ガスストレージに起因して、主ガスストレージとは独立に及び／又は主ガスストレージ内の圧力を変更することなく圧力を制御することが可能である。特に、所要負荷に従って、好ましくは主ガスストレージとは独立に、及び／又は主ガスストレージ内の圧力を適応させることなく中間ガスストレージ内の圧力を適応させることが可能である。
【００１８】
すなわち、そのような構成／配置は、柔軟、動的、及び／又は高応答性の加圧ガスの供給を可能にする。
【００１９】
好ましくは、分析器は、複数の作動バルブを含み、各々は、好ましくは、カートリッジ内の流体流れを制御するための異なる装置に関連付けられる／割り当てられる。
【００２０】
特に、中間ガスストレージの圧力は、所要負荷、すなわち、複数の装置のうちの起動／停止及び／又は使用されることになる装置に依存して適応させることができる。
【００２１】
分析器、特に加圧ガス供給装置は、好ましくは、中間ガスストレージ内の圧力を測定するための中間圧力センサ、主ガスストレージ内の圧力を測定するための主圧力センサ、及び／又は主ガスストレージ及び／又は中間ガスストレージ内の圧力を制御する／適応させるための制御装置を含む。
【００２２】
制御装置は、好ましくは、特に中間ガスストレージの圧力を制御するために中間圧力センサ、主圧力センサ、中間バルブ、及び／又は作動バルブに電気的に接続される。
【００２３】
特に生体サンプルを分析器内でカートリッジを用いて検査するための提案する方法により、カートリッジ内の流体流れを制御するための少なくとも１つの装置、特にカートリッジのポンプ装置及び／又はセンサ装置は、圧縮器と、圧縮器の下流の主ガスストレージと、主ガスストレージの下流の中間バルブとを含む加圧ガス供給装置を用いて空圧的に作動／動力供給される、及び／又は加圧ガスを供給される。
【００２４】
提案する方法の一態様により、中間バルブの下流及び／又は主ガスストレージの下流に位置付けられた中間ガスストレージの圧力は、最も好ましくは中間ガスストレージ内の圧力を最も好ましくは所要負荷に依存して及び／又は起動／停止されることになる装置に依存して及び／又は主ガスストレージ内の圧力とは独立に及び／又は圧縮器とは独立に維持する又は適応させるために、特に制御装置、中間圧力センサ、及び／又は中間バルブを用いて制御される。
【００２５】
中間ガスストレージに起因して、別の負荷を必要とする及び／又は別の装置が起動／停止されることになる時に、（より大きい）主ガスストレージの圧力を適応させる必要はない。
【００２６】
独立に実現することができる本発明の更に別の態様により、中間バルブは、ソレノイドバルブ、特にソレノイド作動式有向制御バルブとして具現化され、中間バルブは、中間バルブ又はそのバルブ本体がその最終位置に到達する前、すなわち、完全それが切り換えられる前、及び／又はバルブ本体が停止される前、及び／又はバルブ本体が移動を停止する前、及び／又は依然として運動している間、及び／又は中間バルブの位置が変化し始める時、特に中間バルブのコア／プランジャ及び／又はバルブ本体が移動し始める時に（直接的に）起動／活性化され、すなわち、動力供給され／電気エネルギを供給され、及び／又は中間バルブの電源がオンにされ、又は（直接的に）停止／切断／非活性化され、すなわち、電源がオフに切断される。
【００２７】
好ましくは、コア／プランジャ及び／又はバルブ本体の移動は、中間バルブを（即座に）起動又は停止するために決定／検出される。
【００２８】
すなわち、中間バルブは、好ましくは、短時間にわたって起動されるのみである。
【００２９】
このようにして、作動時間、すなわち、中間バルブが起動／活性化される及び／又は電気エネルギを供給される時間、及び従って圧力制御の時間遅延が低減される。
【００３０】
更に、中間バルブは、より高いスイッチング周波数で作動させることができ、圧力変化／変動は、より容易に低減することができる。
【００３１】
更に、電力消費が低減され、及び／又は分析器のエネルギ効率が高められる。
【００３２】
好ましくは、中間バルブの電流（消費）は、中間バルブの作動に対して及び／又は中間バルブ、特にそのバルブ本体の位置が変化し始める時及び／又はそのバルブ本体が移動し始める時を決定するために、特に制御装置を用いて直接的又は間接的に測定される。
【００３３】
中間バルブの位置が変化し始める時、特にそのコア／プランジャ及び／又はバルブ本体が移動し始める時に、好ましくは、（逆）電流が生成／誘導され、及び／又は中間バルブの電力／電流消費及び／又は電流勾配が低減される。
【００３４】
好ましくは、中間バルブの電流勾配の変化、例えば、その低下、特に電流の局所的極値は、特に、中間バルブが起動又は停止される時、及び／又は中間バルブ、特にそのバルブ本体の位置が変化し始める時、及び／又はそのバルブ本体が移動し始める時を決定するために決定／検出される。
【００３５】
これは、圧力制御方法の容易な実施を可能にする。
【００３６】
更に、カートリッジ内の流体流れを制御するための装置の作動、特に起動に関連付けられた圧力降下が、分析器、特に装置、及び／又は関連の作動バルブを点検するために特に主ガスストレージ及び／又は中間ガスストレージ内で測定される分析器を点検する方法を提案する。
【００３７】
好ましくは、測定された圧力降下は、通常／基準圧力降下と比較される。特に、測定圧力降下と通常／基準圧力降下の間の偏差は、分析器、特に、装置及び／又は関連のバルブが適正に機能するか否かのインジケータとして使用される。
【００３８】
装置は空圧的に作動されるので、その作動は、主ガスストレージ及び／又は中間ガスストレージ内の空気消費及び従って圧力降下に関連付けられる。
【００３９】
好ましくは、過度に高い（通常／基準空気消費及び／又は圧力降下と比較して）空気消費及び／又は圧力降下は、漏出に対するインジケータである。
【００４０】
好ましくは、過度に低い（通常／基準空気消費及び／又は圧力降下と比較して）空気消費及び／又は圧力降下は、装置及び／又は関連のバルブが正しく機能／反応しないことのインジケータである。
【００４１】
このようにして、特に追加の機器を必要とせずに分析器の容易かつ迅速な点検が可能である。
【００４２】
本発明の関連では、「分析器」という用語は、好ましくはサンプルを閉じ込めるカートリッジ内で及び／又はそれを用いてサンプル又はその成分を化学的、生物学的、及び／又は物理的に検査及び／又は分析するように設計された好ましくはモバイル器具／装置を指すと好ましくは理解される。分析器は、好ましくは、カートリッジ内の及び／又はそれを用いたサンプルの検査を制御する。検査を実施するために、カートリッジは、上述のように、分析器に接続する、特にそれによって受け入れることができる。
【００４３】
「カートリッジ」という用語は、好ましくはサンプルの少なくとも１つの検体、特に蛋白質及び／又は核酸配置を検出、識別、又は決定するために、サンプルを受け入れる、格納する、及び／又は物理的、化学的、及び／又は生物学的に処理、調製、及び／又は測定するように設計された特に使い捨て装置又はユニットを指すと好ましくは理解される。
【００４４】
本発明の意味でのカートリッジは、複数のチャネルと、キャビティと、及び／又はチャネル及び／又はキャビティを通る流れを制御するためのバルブとを有する流体システムを好ましくは含む。特に、カートリッジは、少なくとも実質的に平面及び／又はカード状である。最も好ましくは、カートリッジは、（マイクロ）フルイディックカードとして及び／又はサンプルを閉じ込める時に閉じる及び／又は分析器に挿入する及び／又は差し込むことができる支持体／容器として設計される。
【００４５】
本発明の上記に言及した態様及び特徴、及び特許請求の範囲及び以下の説明から明らかになるであろう本発明の態様及び特徴は、原理的に互いに独立に実施することができるが、同じくあらゆる組合せ又は順序で実施することができる。
【００４６】
本発明の他の態様、利点、特徴、及び特性は、特許請求の範囲及び図面を参照する好ましい実施形態の以下の説明から明らかになるであろう。
【図面の簡単な説明】
【００４７】
【図１】提案する分析器及びそこに受け入れられたカートリッジの概略図である。
【図２】カートリッジの概略斜視前面図である。
【図３】カートリッジの概略斜視後面図である。
【図４】開放状態にある分析器の概略斜視図である。
【図５】分析器の分解組立図である。
【図６】分析器の締結システムの概略斜視図である。
【図７】開放位置にある分析器を示す分析器の概略断面図である。
【図８】検査位置にある分析器を示す図７による分析器の概略断面図である。
【図９】分析器の接続ユニットの概略斜視図である。
【図１０】分析器の加圧ガス供給装置の概略図である。
【図１１】加圧ガス供給装置のバルブが起動される時の時間の関数としての電流の概略図である。
【発明を実施するための形態】
【００４８】
これらの図面では、対応する又は同等の特性、特徴、及び利点がもたらされる同じ又は類似の部分及び構成要素に対してこれらを繰り返し説明しない場合であっても同じ参照記号を使用する。
【００４９】
図１は、特に生体サンプルＰを検査するための装置又はカートリッジ１００を含む提案する分析器２００の非常に概略的な図である。
【００５０】
図２は、その前面１００Ａを示すカートリッジ１００の斜視前面図であり、図３は、その背面１００Ｂを示すその斜視後面図である。
【００５１】
装置又はカートリッジ１００は、特に、以下でカートリッジ１００と呼ぶ手持ち式ユニットを形成する。
【００５２】
「サンプル」という用語は、検査されることになる、特にヒト又は動物から採取されるサンプル材料を指すと好ましくは理解される。好ましくは、本発明の意味では、サンプルは、好ましくは、ヒト又は動物からの唾液、血液、尿、又は別の液体のような流体又はその成分である。
【００５３】
本発明の意味では、サンプルは、必要に応じて前処理又は調製されたものとすることができ、又はヒト又は動物などから直接入手したものとすることができる。特に環境分析法、食品安全性に関して、及び／又は他の物質、好ましくは、天然物質であるが更に生物兵器剤又は化学兵器剤、毒物などを検出するために、食品サンプル、環境サンプル、又は別のサンプルを任意的に検査することができる。
【００５４】
本発明の意味でのサンプルは、１又は２以上の検体を好ましくは含有し、これらの検体を識別又は検出、特に定量的及び／又は定性的に決定することが好ましくは可能である。好ましくは、本発明の意味では、サンプルは、検体としてターゲット核酸配置、特にターゲットＤＮＡ配置及び／又はターゲットＲＮＡ配置、及び／又はターゲット蛋白質、特にターゲット抗原及び／又はターゲット抗体を有する。好ましくは、検体を定性的及び／又は定量的に決定することによってサンプルＰ内で少なくとも１つの疾患及び／又は病原体を検出又は識別することができる。
【００５５】
好ましくは、分析器２００は、特にカートリッジ１００内又は上でのサンプルＰの検査を制御する及び／又は検査を評価するために、検査からの測定値を収集、処理、及び／又は格納するのに使用される。
【００５６】
分析器２００、カートリッジ１００、及び／又はサンプルＰを検査する方法を用いて、サンプルＰの１又は複数の検体を特に定性的のみではなく定量的にも好ましくは決定、識別、又は検出することができる。
【００５７】
従って、サンプルＰは、特に、疾患及び／又は病原体を検出又は識別するために、又は例えば診断に関して重要な他の値を決定するために、例えば、少なくとも１つの検体を定性的及び／又は定量的に決定するために検査することができる。
【００５８】
カートリッジ１００は、好ましくは、少なくとも実質的に平面、平坦、板状、及び／又はカード状である。
【００５９】
カートリッジ１００は、特に少なくとも実質的に平面、平坦、板形、及び／又はカード状の本体又は支持体１０１を好ましくは含み、この本体又は支持体１０１は、可塑性材料、特にポリプロピレンから特に製造及び／又は射出成形される。
【００６０】
カートリッジ１００は、２つの平坦側面１００Ａ、１００Ｂを好ましくは含む。特に、カートリッジ１００の前面１００Ａ及びカートリッジ１００の背面１００Ｂの各々は、特に平面及び／又はカード状のカートリッジ１００の平坦側面である。
【００６１】
カートリッジ１００は、主本体１０１及び／又はそこに少なくとも部分的に特に前面１００Ａ上に形成されたキャビティ及び／又はチャネルを覆うための及び／又はバルブなどを形成するための少なくとも１つのフィルム／カバー１０２を好ましくは含む。
【００６２】
カートリッジ１００及び／又はその主本体１０１は、特にカバー１０２と共に以下で流体システム１０３と呼ぶ流体システム１０３を好ましくは形成する及び／又は含む。
【００６３】
カートリッジ１００、主本体１０１、及び／又は流体システム１０３は、図１に概略的に示すように、作動／検査中に、検査／作動位置で、及び／又は分析器２００内に挿入された時に好ましくは少なくとも実質的に垂直に向けられる。特に、カートリッジ１００の面の広がり又は主平面Ｈは、検査／作動位置で少なくとも実質的に垂直に延びる。
【００６４】
カートリッジ１００、特にその流体システム１０３は、特に複数のチャネルによって好ましくは流体的に相互接続された複数のキャビティ、特に、サンプルＰを受け入れる／導入するための少なくとも１つの受け入れキャビティ１０４、少なくとも１つの計量キャビティ１０５、少なくとも１つの中間キャビティ１０６、少なくとも１つの混合キャビティ１０７、少なくとも１つのストレージキャビティ１０８、少なくとも１つの反応キャビティ１０９、少なくとも１つの中間温度制御キャビティ１１０、及び／又は少なくとも１つの回収キャビティ１１１を好ましくは含む。
【００６５】
本発明の意味では、チャネルは、主流れ方向に流体を誘導するのに好ましくは細長形態であり、これらの形態は、好ましくは、全ての側面で主流れ方向及び／又は縦方向の延びに対して横断方向に特に垂直に好ましくは閉じられている。
【００６６】
特に、主本体１０１は、側面がカバー１０２によって閉じられ、本発明の意味でのチャネルを形成する細長のノッチ、陥凹、又は凹部などを含む。
【００６７】
本発明の意味では、キャビティ又はチャンバは、特に側面がカバー１０２によって閉じられた又は覆われたカートリッジ１００又は主本体１０１内の陥凹又は凹部などによって好ましくは形成される。各キャビティによって取り囲まれた容積又は空間は、チャネルを用いて特に流体システム１０３に好ましくは流体的にリンクされる。
【００６８】
特に、本発明の意味では、キャビティは、流体の流入及び／又は流出のための少なくとも２つの開口部を含む。
【００６９】
本発明の意味では、キャビティは、チャネルよりも好ましくは少なくとも２倍、３倍、又は４倍大きい直径及び／又は流れ断面を好ましくは有する。しかし、原理的には、キャビティは、一部の場合にチャネルと同じく細長とすることができる。
【００７０】
カートリッジ１００及び／又は流体システム１０３は、少なくとも１つのポンプ装置１１２及び／又は少なくとも１つのセンサ配置／装置１１３を好ましくは含む。
【００７１】
図示の例では、カートリッジ１００又は流体システム１０３は、互いに別々に好ましくは装填することができる複数の中間キャビティ１０６、複数のストレージキャビティ１０８、及び／又は複数の反応キャビティ１０９を好ましくは含む。
【００７２】
カートリッジ１００の初期状態では又は工場にある時に、ストレージキャビティ１０８は、特に試薬、溶媒、又は洗浄緩衝液で少なくとも部分的に好ましくは充填される。
【００７３】
１又は複数の反応キャビティ１０９は、アッセイが実施されている時に反応キャビティ１０９内の物質が反応することを可能にするように好ましくは設計される。
【００７４】
１又は複数の反応キャビティ１０９は、特に、増幅反応、特にＰＣＲ、又はいくつかの好ましくは異なる増幅反応、特にＰＣＲを実施するのに使用される。いくつかの好ましくは異なるＰＣＲ、すなわち、様々なプライマー組合せ又はプライマー対を有するＰＣＲは、並行して、独立に、及び／又は様々な反応キャビティ１０９内で実施することが好ましい。
【００７５】
「ＰＣＲ」は、ポリメラーゼ連鎖反応の略語であり、特に、後に増幅生成物又は核酸生成物を検査及び／又は検出するために、サンプルＰのある一定の検体、特にＲＮＡ又はＲＮＡ配置又はＤＮＡ又はＤＮＡ配置の一部分をポリメラーゼ又は酵素を使用して好ましくはいくつかのサイクルで増幅する分子生物学的方法である。ＲＮＡを検査及び／又は増幅するように意図する場合に、ＰＣＲを実施する前に、特に逆転写酵素を使用してＲＮＡから始めてｃＤＮＡが生成される。ｃＤＮＡは、その後のＰＣＲに対するテンプレートとして使用される。
【００７６】
１又は２以上の反応キャビティ１０９内で生成されたサンプルＰの増幅生成物、ターゲット核酸配置、及び／又は他の部分は、接続されたセンサ配置又はセンサ装置１１３に特にポンプ装置１１２を用いて誘導又は供給することができる。
【００７７】
センサ配置又はセンサ装置１１３は、特に、サンプルＰの１又は複数の検体、最も好ましくは、検体としてのターゲット核酸配置及び／又はターゲット蛋白質を検出するのに、特に好ましくは、定性的及び／又は定量的に決定するのに使用される。しかし、これに代えて又はこれに加えて、他の値を収集及び／又は決定することができる。
【００７８】
センサ装置１１３は、特に複数の検体を決定又は検出するためにセンサアレイ（図示せず）を好ましくは含む。
【００７９】
特に、センサ装置１１３又はセンサアレイは、検体及び／又は増幅生成物を結合し、その後に検出処理においてこれらの検体及び／又は増幅生成物を検出、識別、又は決定するための捕捉分子（図示せず）を含む。
【００８０】
最も好ましくは、電気化学検出が実施される。
【００８１】
カートリッジ１００、主本体１０１、及び／又は流体システム１０３は、図２に示すように複数のチャネル１１４及び／又はバルブ１１５を好ましくは含む。
【００８２】
特に、キャビティ１０４から１１１、ポンプ装置１１２、及び／又はセンサ装置１１３が分析器２００によって制御されるように、チャネル１１４及び／又はバルブ１１５を用いてこれらを必要に応じて及び／又は任意的又は選択的に互いに一時的及び／又は永続的に流体的に相互接続及び／又は流体的に分離することができる。
【００８３】
キャビティ１０４から１１１は、好ましくは、各々が複数のチャネル１１４によって流体的にリンク又は流体的に相互接続される。特に、流体がそれぞれのキャビティを必要に応じて充満する、通って流れる、及び／又はそれぞれのキャビティから排出することができるように、各キャビティは、少なくとも２つの関連チャネル１１４によってリンク又は接続される。
【００８４】
流体搬送又は流体システム１０３は、好ましくは、毛管力に基づかず又はこれらの力だけに基づくわけではなく、重力及び／又は生じる及び／又はポンプ又はポンプ装置１１２によって発生されるポンプ力、圧縮力、及び／又は吸引力の効果に好ましくは基本的に基づいている。
【００８５】
最も好ましくは、流体流れ又は搬送及び計量は、特に分析器２００、特にそのポンプドライブ２０２を用いてバルブ１１５を相応に開閉すること及び／又はポンプ装置１１２を相応に作動させることによって制御される。
【００８６】
好ましくは、少なくとも１つのバルブ１１５が各キャビティに割り当てられ、ポンプ装置１１２及び／又はセンサ装置１１３は、それぞれの入口の上流及び／又はそれぞれの出口の下流に配置される。
【００８７】
好ましくは、割り当てられたバルブ１１５の作動により、キャビティ１０４から１１１又はこれらの配置を選択的に開放することができ、流体が選択的にこれらを通って流れることができ、及び／又はキャビティ１０４から１１１を流体システム１０３及び／又は他のキャビティに流体的に接続することができる。
【００８８】
特に、バルブ１１５は、主本体１０１及び／又はフィルム／カバー１０２によって形成され、これらを用いて形成され、及び／又は別の方式、例えば、追加の層又は凹部などによって形成される。
【００８９】
好ましくは、特に、ストレージキャビティ１０８及び／又は流体システム１０３内の液体又は液体試薬Ｆを開いた受け入れキャビティ１０４から及び／又は安定格納方式で密封するために、１又は２以上のバルブ１１５Ａは、最初に及び／又はカートリッジ１００の配送状態で好ましくは密封されている。以下では、これらのバルブ１１５Ａを初期閉鎖バルブ１１５Ａと呼ぶ。
【００９０】
好ましくは、初期閉鎖バルブ１１５Ａは、各ストレージキャビティ１０８の上流及び下流に配置される。これらのバルブ１１５Ａは、カートリッジ１００が実際に、特に初めて使用されている時に、カートリッジ１００を分析器２００内に挿入する間又はした後に、及び／又はアッセイを実施するために特に自動的に及び／又は分析器２００を用いて好ましくは（限定的に）開かれる。
【００９１】
受け入れキャビティ１０４に割り当てられたバルブ１１５Ａは、好ましくは、サンプルＰが挿入されるまで及び／又は受け入れキャビティ１０４が閉じられるまで流体システム１０３及び／又はカートリッジ１００を特に流体的に及び／又は気密方式で密封する。
【００９２】
初期閉鎖バルブ１１５Ａの代わりに又はこれに加えて、初期に／通常は、カートリッジ１００の配送状態で、作動不能／初期位置／状態で、及び／又はカートリッジ１００が分析器２００の中に挿入されていない時に開かれた／閉められていない１又は２以上のバルブ１１５Ｂが、好ましくは設けられる。これらのバルブ１１５Ｂは、特に、検査中に流体流れを制御するのに使用され、及び／又はこれらのバルブ１１５Ｂは、初期／通常開放バルブ１１５Ｂと呼ぶ。
【００９３】
好ましくは、通常開放バルブ１１５Ｂは、最も好ましくは、分析器２００を用いた作動によって（のみ）閉めることができる。
【００９４】
カートリッジ１００は、好ましくは、マイクロフルイディックカードとして設計され、及び／又は流体システム１０３は、好ましくは、マイクロフルイディックカードとして設計される。
【００９５】
本発明では、「マイクロフルイディック」という用語は、個々のキャビティ、キャビティのうちの一部、又はキャビティ１０４から１１１、及び／又はチャネル１１４の全てのそれぞれの容積が、別々又は蓄積的に５ｍｌよりも小さく又は２ｍｌ、好ましくは、１ｍｌよりも小さく又は８００μｌ、特に６００μｍｌよりも小さく又は３００μｌ、最も好ましくは、２００μｌよりも小さく又は１００μｌであることを指すと好ましくは理解される。
【００９６】
好ましくは、５ｍｌ、２ｍｌ、又は１ｍｌの最大容積を有するサンプルＰをカートリッジ１００及び／又は流体システム１０３、特に受け入れキャビティ１０４の中に導入することができる。
【００９７】
例えば、サンプルＰは、ピペット、シリンジ、又は他の器具を用いて受け入れキャビティ１０４及び／又はカートリッジ１００の中に導入することができる。
【００９８】
好ましくは、検査、検出処理、及び／又は他の目的に必要とされる（全ての）試薬及び液体は、図２の概略図に示すようにカートリッジ１００内に供給され、すなわち、検査の前に最も好ましくは液体又は液体試薬Ｆとして液体形態で及び／又は乾燥試薬Ｓとして乾燥形態で導入される。
【００９９】
更に、例えば、検出分子及び／又は酸化還元系を形成するために検査、検出処理、及び／又は他の目的に必要とされ、特に洗浄緩衝液、乾燥試薬Ｓに対する溶媒及び／又は基質の形態にある（全ての）他の液体Ｆも、カートリッジ１００内に好ましくは供給され、すなわち、使用前に、特に配送前に導入される。
【０１００】
カートリッジ１００は、サンプルＰを前処理するのに、及び／又は検査又はアッセイを実施するのに、特に１又は２以上の増幅反応又はＰＣＲを実施するのに必要とされる全ての試薬及び液体を好ましくは閉じ込める。従って、好ましくは、任意的に前処理されたサンプルＰを受け入れることだけが必要である。
【０１０１】
カートリッジ１００、流体システム１０３、及び／又はチャネル１１４は、液体前面及び／又は流体の流れを検出するためのセンサ部分１１６又は他の装置を好ましくは含む。
【０１０２】
図２及び図３では、チャネル１１４、バルブ１１５、特に初期閉鎖バルブ１１５Ａ及び通常開放バルブ１１５Ｂ、及びセンサ部分１１６のような様々な構成要素は、明瞭化の理由から一部の場合にしかラベル付けしていないことに注意されたい。しかし、図２及び図３それぞれにおいてこれらの構成要素の各々に対して同じ記号を使用する。
【０１０３】
図３に示すように、センサ装置１１３は、カートリッジ１００及び／又はセンサ装置１１３を電気的に接続するための電気接点１１３Ｅを好ましくは含む。
【０１０４】
接点１１３Ｅは、特に、平坦側面及び／又は背面上、及び／又は中心領域１１３Ｈの周りに位置決めされる。
【０１０５】
カートリッジ１００及び／又は主本体１０１は、図３に概略的に示すように、特に好ましくは背面１００Ｂ上に補強された又は角度付けされた縁部１２１及び／又は補強リブ１２２を好ましくは含む。
【０１０６】
カートリッジ１００又は主本体１０１は、カートリッジ１００を手で最適に把持及び／又は保持するための把持部分１２３を好ましくは含む。把持部分１２３は、長辺上に特に配置及び／又は形成又は一体成形される。
【０１０７】
縁部１２１及び／又は補強リブ１２２は、特に、面の広がり、板平面Ｈ、平坦側面、又は背面１００Ｂに対して横断方向にカートリッジ１００又は主本体１０１に対する補強を提供するのに使用される。この補強は、カートリッジ１００を分析器２００内に装着／締結する時に特に有利である。高い剛性は、カートリッジ１００を装着／締結する時に強い力を印加することを可能にする。
【０１０８】
１又は複数の反応キャビティ１０９及び／又はそこにある流体が関連の反応温度制御装置２０４Ａに有効な又は改善された方式で熱結合されることを可能にする又は保証するために、カートリッジ１００及び／又は主本体１０１は、１又は複数の反応キャビティ１０９の領域内に薄い壁厚の領域、脆弱部分又は、凹部１０１Ｅを好ましくは有する。
【０１０９】
カートリッジ１００又は主本体１０１は、サンプルＰが検査されている間に、図３に示すように、カートリッジ１００を特に分析器２００内に予め定められた方式で装着及び／又は配置するための少なくとも１つの位置決め部分１２６、図示の例では特に２つの位置決め部分１２６を好ましくは含む。
【０１１０】
位置決め部分１２６は、主本体１０１上に特に一体成形される又はそれとワンピースに形成される。
【０１１１】
位置決め部分１２６は、カートリッジ１００又は主本体１０１の平坦側面、この場合は背面１００Ｂ又は主平面Ｈから好ましくは突出する。
【０１１２】
位置決め部分１２６は、好ましくは、内側及び／又は外側で特に円筒形、中空円筒形、及び／又は円錐形である。
【０１１３】
位置決め部分１２６の外側は、自由端に向けて好ましくは先細又は円錐形である。この形状は、容易な生産及び／又は分析器２００でのカートリッジ１００のセンタリングに寄与する。
【０１１４】
位置決め部分１２６の内側は、自由端に向けて好ましくは円錐形又は拡幅する。この形状は、容易な生産及び／又は分析器２００でのカートリッジ１００のセンタリングに寄与する。
【０１１５】
２つの位置決め部分１２６は、カートリッジ１００の辺と平行な線内に、特にカートリッジ１００の長辺に対して横断方向の中心線内に好ましくは配置される。
【０１１６】
特に、図３の図では、一方の位置決め部分１２６は、カートリッジ１００の下側長辺の領域に配置される。他方の位置決め部分１２６は、任意的な補強リブ１２２の特に付近に配置される。
【０１１７】
カートリッジ１００又は主本体１０１は、流体接続部又は空圧接続部１２９を好ましくは含む。図示の例では、好ましくは、複数の接続部又は２つの接続部１２９が設けられる。
【０１１８】
接続部１２９又は各接続部１２９は、特に、関連の操作装置に流体的に供給又は空圧的に供給するのに又はこの操作装置を作動するのに使用される。
【０１１９】
図示の例では、左手側の接続部１２９は、特にポンプ装置１１２に割り当てられ、ポンプ装置１１２によって形成された蠕動ポンプを空圧的にリセットするのに好ましくは使用される。
【０１２０】
図示の例では、右手側の接続部１２９は、センサ装置１１３に好ましくは割り当てられ、特に、センサ装置１１３又はセンサアレイの上方のセンサ区画を特に検出中に小さくするようにセンサカバー（図示せず）を空圧的に作動するのに使用される。
【０１２１】
各接続部１２９は、主本体１０１、特にその背面１００Ｂ内の対応する開口部によって好ましくは形成される。
【０１２２】
各接続部１２９には、特に適切な層又はフィルムなどによって形成されたカード側シールが好ましくは割り当てられる。しかし、他の技術ソリューションも可能である。
【０１２３】
受け入れキャビティ１０４は、サンプルＰが受け入れられた後に閉じることができる。カートリッジ１００は、この目的のための閉鎖要素１３０を好ましくは含む。
【０１２４】
特に、受け入れキャビティ１０４は、液密方式で、特に好ましくは気密方式でも閉鎖要素１３０によって閉じることができる。従って、特に、受け入れキャビティ１０４を含めることで、閉じた流体回路を形成することができる。特に、受け入れキャビティ１０４の入口、出口、及び／又は中間接続部に割り当てられたバルブ１１５Ａが開かれると、受け入れキャビティ１０４はカートリッジ１００の流体システム１０３の一部を形成し、流体システムは、閉鎖要素１３０によって好ましくは閉じられるか又は閉じることができる。
【０１２５】
サンプルＰが受け入れキャビティ１０４の中に導入され、このキャビティが特に閉鎖要素１３０を用いて閉じられた状態で、サンプルＰを検査するために図１に示すようにカートリッジ１００を提案する分析器２００内に挿入する及び／又は受け入れることができる。
【０１２６】
分析器２００は、カートリッジ１００を装着するための及び／又は受け入れるための好ましくは移動可能なマウント又はレセプタクル２０１を好ましくは含む。好ましくは、レセプタクル２０１は、カートリッジ１００を吐出する段階及び受け入れる段階それぞれを行うために上下に移動することができる。
【０１２７】
好ましくは、カートリッジ１００及び／又は流体システム１０３は、分析器２００から流体的、特に水圧的に分離又は遮断される。特に、カートリッジ１００は、サンプルＰ、試薬、及び他の液体に対して好ましくは独立しており、特に閉鎖又は密封された流体システム又は水圧システム１０３を形成する。このようにして、分析器２００は、サンプルＰ、他の流体、及び／又は試薬との直接接触状態にはならず、特に、別の検査に向けて最初に殺菌及び／又は消毒することなく再使用することができる。
【０１２８】
しかし、分析器２００は、カートリッジ１００に機械的、電気的、熱的、及び／又は流体的及び／又は空圧的に接続又は結合されるものとする。
【０１２９】
特に、分析器２００は、特にポンプ装置１１２及び／又はバルブ１１５を作動するための機械的効果を有するように、及び／又は特に１又は複数の反応キャビティ１０９、中間温度制御キャビティ１１０、及び／又はセンサ装置１１３を温度制御するための熱的効果を有するように設計される。
【０１３０】
これに加えて、分析器２００は、特に、個々の装置を作動するのに好ましくはカートリッジ１００に空圧的に接続することができ、及び／又は特に例えばセンサ装置１１３及び／又はセンサ部分１１６から測定値を収集及び／又は送信するためにカートリッジ１００に電気的に接続することができる。
【０１３１】
分析器２００は、ポンプドライブ２０２を好ましくは含み、ポンプドライブ２０２は、特に、ポンプ装置１１２を機械的に作動するように設計される。
【０１３２】
分析器２００は、カートリッジ１００及び／又はセンサ配置又はセンサ装置１１３を特に電気的及び／又は熱的に接続するための接続装置２０３を好ましくは含む。
【０１３３】
図１に示すように、接続装置２０３は、複数の電気接触要素２０３Ａを好ましくは含み、カートリッジ１００、特にセンサ配置又はセンサ装置１１３は、好ましくは、接触要素２０３Ａによって分析器２００に電気的に接続される又は電気的に接続可能である。
【０１３４】
分析器２００は、カートリッジ１００を温度制御することを目的とする及び／又はカートリッジ１００に対して特に加熱及び／又は冷却するための熱的効果を有する１又は２以上の温度制御装置２０４を好ましくは含み、温度制御装置２０４は（各々が）、加熱抵抗器又はペルチェ素子を好ましくは含む又はこれらによって形成される。
【０１３５】
好ましくは、個々の温度制御装置２０４、これらの装置のうちの一部、又はこれらの装置の全ては、カートリッジ１００、主本体１０１、カバー１０２、センサ装置１１３、及び／又は個々のキャビティに対して位置決めすることができ、及び／又はこれらに熱結合することができ、及び／又はこれらの中に組み込むことができ、及び／又は分析器２００によって特に電気的に作動させる又は制御することができる。図示の例では、３つの異なる温度制御装置２０４Ａ、２０４Ｂ、及び／又は２０４Ｃが設けられる。
【０１３６】
分析器２００は、バルブ１１５を作動するための１又は２以上のアクチュエータ装置２０５を好ましくは含む。好ましくは、異なる（タイプ又はグループの）バルブ１１５Ａ及び１１５Ｂの各々をそれぞれ作動するためにこれらのバルブに割り当てられた異なる（タイプ又はグループの）アクチュエータ装置２０５Ａ及び２０５Ｂが設けられる。最も好ましくは、分析器２００は、初期閉鎖バルブ１１５Ａを作動するための１又は２以上のアクチュエータ装置２０５Ａと、通常開放バルブ１１５Ｂに対する１又は２以上のアクチュエータ装置２０５Ｂとを含む。
【０１３７】
分析器２００は、１又は２以上のセンサ２０６を好ましくは含む。特に、センサ部分１１６には、流体センサ２０６Ａが割り当てられ、及び／又はそれは流体システム１０３内で液体前面及び／又は流体の流れを検出するように設計されるか又は意図される。
【０１３８】
最も好ましくは、流体センサ２０６Ａは、チャネル及び／又はキャビティ内の特に流体システム１０３の平面チャネル部分及び／又は拡幅チャネル部分によって特に形成されてそれぞれ割り当てられたセンサ部分１１６内の流体の液体前面、流体の流れ、及び／又は有無、速度、質量流量／容積流量、温度、及び／又は別の値を特に非接触方式で、例えば、光学的及び／又は容量的に測定又は検出するように設計される。
【０１３９】
これに代えて又はこれに加えて、分析器２００は、周囲温度、内部温度、雰囲気湿度を検出するための例えばＧＰＳセンサを用いて位置及び／又は位置合わせを検出するための及び／又は分析器２００及び／又はカートリッジ１００の向き及び／又は傾きを検出するための１又は２以上の（他の又は追加の）センサ２０６Ｂを好ましくは含む。
【０１４０】
分析器２００は、検査又はアッセイのシーケンスを制御するために、及び／又は特にセンサ装置１１３からの及び／又は検査結果及び／又は他のデータ又は値からの測定値を収集、評価、及び／又は出力又は供給するために内部クロック又は時間基準を特に含む制御装置２０７を好ましくは含む。
【０１４１】
制御装置２０７は、望ましい検査及び／又はセンサ装置１１３及び／又はセンサ２０６からの測定値を特に考慮して及び／又はこれらに依存してポンプドライブ２０２、温度制御装置２０４、及び／又はアクチュエータ装置２０５を好ましくは制御又はフィードバック制御する。
【０１４２】
任意的に、分析器２００は、キーボード又はタッチ画面のような入力装置２０８、及び／又は画面のような表示装置２０９を含む。
【０１４３】
分析器２００は、例えば、測定データ又は検査結果を制御、通信、及び／又は出力するための及び／又はプリンタ又は外部電源のような他のデバイスにリンクするための少なくとも１つのインタフェース２１０を好ましくは含む。インタフェース２１０は、有線又は無線のインタフェース２１０として具現化することができる。
【０１４４】
分析器２００は、電力を供給するための電源２１１、好ましくは、特に統合された及び／又は外部接続された又は外部接続可能なバッテリ又は蓄電池を好ましくは含む。
【０１４５】
好ましくは、一体化蓄電池が電源２１１として設けられ、接続部２１１Ａを介して外部充電デバイス（図示せず）によって（再）充電される及び／又は交換可能である。
【０１４６】
分析器２００は、好ましくは、携帯可能又は移動可能である。好ましくは、分析器２００は、２５ｋｇよりも軽量又は２０ｋｇであり、最も好ましくは、１５ｋｇよりも軽量又は１０ｋｇであり、特に９ｋｇよりも軽量又は６ｋｇである。
【０１４７】
分析器２００は、ハウジング２１２を好ましくは含み、好ましくは、分析器２００の全ての構成要素及び／又は装置の一部又は全てがハウジング２１２内に統合される及び／又はその内部空間２１２Ａに配置される。
【０１４８】
最も好ましくは、カートリッジ１００は、ハウジング２１２の中に挿入又は摺動することができ、及び／又はスロットのような特に閉じることができる開口部２１３を通して分析器２００が受け入れることができる。
【０１４９】
上述のように、分析器２００は、カートリッジ１００、特にセンサ装置１１３及び／又はポンプ装置１１２に好ましくは１又は２以上の流体接続部又は空圧接続部１２９を用いて好ましくは流体的及び／又は空圧的にリンク又は接続することができる。
【０１５０】
最も好ましくは、分析器２００は、カートリッジ１００、特に、センサ装置１１３及び／又はポンプ装置１１２に作動媒体、好ましくはガス、特に空気を提供するように設計される。
【０１５１】
好ましくは、作動媒体は、分析器２００内で又はそれを用いて圧縮及び／又は加圧することができる。
【０１５２】
分析器２００は、加圧及び／又は圧縮された作動媒体、好ましくはガス、特に空気を提供するために加圧ガス供給装置２１４を好ましくは含む。
【０１５３】
加圧ガス供給装置２１４は、分析器２００又はハウジング２１２内に好ましくは統合される及び／又は制御装置２０７を用いて制御又はフィードバック制御することができる。
【０１５４】
好ましくは、加圧ガス供給装置２１４は、電気的に作動される又は電力によって作動させることができる。特に、加圧ガス供給装置２１４には、電源２１１を用いて電力を供給することができる。
【０１５５】
分析器２００又は加圧ガス供給装置２１４は、特に、それ自体をカートリッジ１００、特にセンサ装置１１３及び／又はポンプ装置１１２に最も好ましくは１又は複数の接続部１２９を介して空圧的に接続するための接続要素２１４Ａを好ましくは含む。
【０１５６】
図４は、開放状態／位置にあり、すなわち、レセプタクル２０１にアクセス可能である及び／又は開口部２１３が形成された時の分析器２００を示している。この図では、カートリッジ１００は、分析器２００の中に、好ましくは、開口部２１３を通してレセプタクル２０１の中に既に挿入されている。
【０１５７】
分析器２００又はハウジング２１２は、開けることができるアクセスカバー／ハウジング部品２１２Ｂを好ましくは含む。好ましくは、分析器２００、特にそのハウジング２１２は、アクセスカバー／ハウジング部品２１２Ｂをハウジング２１２、特にそのベース２１２Ｃに対して移動することにより、及び／又は開口部２１３が形成されるように及び／又はレセプタクル２０１が最も好ましくは上部からアクセス可能であるように開くことができる。
【０１５８】
図５は、分析器２００の好ましいアセンブリを示す分析器２００の分解組立図である。
【０１５９】
上述のように、分析器は、その主要である特に全ての（機械的又は電気的な）部分／構成要素を収容／取り囲むハウジング２１２を好ましくは含む。
【０１６０】
分析器２００は、好ましくは、機械的な閉鎖／締結システム２８０、加圧ガス供給装置２１４、少なくとも１つの通気装置２８１、少なくとも１つの電子ユニット２８２、及び／又は支持体／緩衝体２８３を好ましくは含む。
【０１６１】
締結システム２８０は、最も好ましくは、予め定められた位置にあるカートリッジ１００を用いて検査を行うためにカートリッジ１００を分析器２００内に、特にハウジング２１２内に受け入れる、保持する、装着する、位置決めする／位置合わせするか、又は締結するように好ましくは適応される。
【０１６２】
通気装置２８１は、分析器２００又はハウジング２１２、特にその内部２１２Ａを通気／冷却するように好ましくは適応される。図５に示す実施形態では、分析器２００は、いくつか、ここでは２つの通気装置２８１を好ましくは含む。
【０１６３】
上述のように、加圧ガス供給装置２１４は、好ましくはカートリッジ１００、特にそのセンサ装置１１３及び／又はポンプ装置１１２に加圧ガスを供給するように好ましくは適応される。加圧ガス供給装置２１４に対しては、図１０及び図１１を参照して詳細に以下に説明する。
【０１６４】
この実施形態では、加圧ガス供給装置２１４、締結システム２８０、通気装置２８１、及び電子ユニット２８２は、互いに好ましくは剛的には接続されず、従って、アセンブリグループ／ユニットを形成しない。しかし、これらの部分／構成要素の一部又は全ては、互いに剛的に接続すること及び／又はこれらが（共通の）アセンブリグループ／ユニットを形成することも可能である。特に、加圧ガス供給装置２１４、通気装置２８１、及び／又は電子ユニット２８２は、締結システム２８０の中に組み込むことができる。
【０１６５】
ハウジング２１２は、好ましくは、マルチピース構成である及び／又はベース２１２Ｃと上部２１２Ｄとを含む。
【０１６６】
以下では、支持体／緩衝体２８３を緩衝体２８３と呼び、緩衝体２８３は、ハウジング２１２内に好ましくは配置される。
【０１６７】
緩衝体２８３は、分析器２００の一部又は全ての部分、特に加圧ガス供給装置２１４、締結システム２８０、通気装置２８１、及び／又は電子ユニット２８２をハウジング２１２、特にその内部２１２Ａの中に最も好ましくはこれらの部分が互いに緩衝体２８３及び／又はハウジング２１２に対して移動不能であるように保持する、支持する、担持する、位置合わせする、及び／又は位置決めされるように好ましくは適応される。
【０１６８】
特に、緩衝体２８３は、望ましくない／偶発的な偏差を防ぐためにこれらの部分を固定するように適応される。
【０１６９】
緩衝体２８３は、好ましくは、マルチピース構成のものである及び／又はベース２８３Ａと上部２８３Ｂとを含む。
【０１７０】
好ましくは、緩衝体２８３は、ハウジング２１２に圧力嵌め方式及び／又は形状適合方式で及び／又は溶接によって接続される。
【０１７１】
最も好ましくは、緩衝体２８３の外側形状／輪郭は、特に緩衝体２８３がハウジング２１２内に剛的に、移動不能に、及び／又は形状適合方式でハウジング２１２の内部形状／輪郭、特に内部２１２Ａに少なくとも本質的に対応する。
【０１７２】
緩衝体２８３は、それによって支持される部分、特に加圧ガス供給装置２１４、締結システム２８０、通気装置２８１、及び／又は電子ユニット２８２に対応及び／又は整合する内部２８３Ｄを好ましくは含む又は形成する。
【０１７３】
以下では、締結システム２８０を図６から図８を参照して詳細に説明する。
【０１７４】
図６は、締結システム２８０の概略斜視図を示している。
【０１７５】
分析器２００、特に締結システム２８０は、特に、カートリッジ１００が分析器２００、特に締結システム２８０内に最も好ましくは予め定められた方式及び／又は再現可能方式で位置決めされる／位置合わせされる及び／又は固く保持されるように、及び／又は最も好ましくはポンプドライブ２０２、接続装置２０３、温度制御装置２０４、反応温度制御装置２０４Ａ、中間温度制御装置２０４Ｂ、センサ温度制御装置２０４Ｃ、アクチュエータ２０５、センサ２０６、制御装置２０７、入力装置２０８、表示装置２０９、インタフェース２１０、電源２１１、及び／又は加圧ガス供給装置２１４に機械的、電気的、熱的、流体的、及び／又は空圧的に接続することができるようにカートリッジ１００を受け入れる、位置決めする／位置合わせする、保持する及び／又は締結するように好ましくは設計される。
【０１７６】
分析器２００、特に締結システム２８０は、任意的な受け入れ／中間ユニット２３０、接続ユニット２３１、締結／アクチュエータユニット２３２、駆動装置２３３、案内装置２３４、ラック／フレーム２３７、持ち上げ装置２３８、及び／又は開放装置２３９を好ましくは含む。
【０１７７】
締結システム２８０、特に締結ユニット２３２、中間ユニット２３０、接続ユニット２３１、及び／又は持ち上げ装置２３８は、カートリッジ１００を装着する及び／又は受け入れるためのスロット／レセプタクル２０１を好ましくは含む又は形成する。
【０１７８】
最も好ましくは、レセプタクル２０１は、一方を締結ユニット２３２及び／又は中間ユニット２３０とし、他方を接続ユニット２３１とするその両方の間に形成／配置される。
【０１７９】
特に、レセプタクル２０１は、中間ユニット２３０、接続ユニット２３１、及び／又は締結ユニット２３２により、及び／又は底部で持ち上げ装置２３８によって横方向に制限される。
【０１８０】
好ましくは、任意的な中間ユニット２３０及び／又は持ち上げ装置２３８は、締結ユニット２３２と接続ユニット２３１の間に配置される。
【０１８１】
中間ユニット２３０、接続ユニット２３１、締結ユニット２３２、及び／又は持ち上げ装置２３８は、特に、カートリッジ１００を検査に向けて締結方式で及び／又は検査位置に保持するために、及び／又は検査が完了した後にカートリッジ１００を解除／吐出するために互いに対して及び／又は前後に好ましくは移動可能／摺動可能である。
【０１８２】
中間ユニット２３０、接続ユニット２３１、及び／又は締結ユニット２３２の互いに対する移動に起因して、中間ユニット２３０、接続ユニット２３１、及び／又は締結ユニット２３２の間の距離、従って、レセプタクル２０１の容積を増減させることができる。
【０１８３】
中間ユニット２３０、接続ユニット２３１又はその主本体２３１Ｄ、及び／又は締結ユニット２３２は、好ましくは、少なくとも本質的に平坦及び／又は板状であり、及び／又は複数の板又は板形構成要素から構成される／組み立てられる。
【０１８４】
中間ユニット２３０、接続ユニット２３１、及び／又は締結ユニット２３２、及び／又はそのそれぞれの主平面は、互いに対して少なくとも本質的に平行に及び／又は横並びに好ましくは配置される。
【０１８５】
駆動装置２３３は、締結ユニット２３２、中間ユニット２３０、接続ユニット２３１、及び／又は持ち上げ装置２３８を移動する／作動するように好ましくは適応される。
【０１８６】
最も好ましくは、駆動装置２３３は、特に締結ユニット２３２と接続ユニット２３１の間でカートリッジ１００を締結する／位置決めする／位置合わせするために締結ユニット２３２、中間ユニット２３０、接続ユニット２３１、及び／又は持ち上げ装置２３８を押し進める、及び／又は吐出に向けて及び／又は検査が完了した時にカートリッジ１００を解除するために締結ユニット２３２、中間ユニット２３０、接続ユニット２３１、及び／又は持ち上げ装置２３８を引っ張るように適応される。
【０１８７】
従って、駆動装置２３３は、２つの（反対の）方向、特に接続ユニット２３１に向う第１の作動方向と接続ユニット２３１から離れる第２の作動方向との中に好ましくは作動する。
【０１８８】
駆動装置２３３は、特に電気ドライブ／モータ２３３Ａ、シャフト２３３Ｄ、及び／又は好ましくはフォーク形の駆動ヘッド２３３Ｅを好ましくは含む。
【０１８９】
好ましくは、駆動装置２３３、特にそのドライブ２３３Ａは、ステッパモータとして具現化される及び／又はシャフト２３３Ｄとしてねじ込みスピンドルを含む。しかし、他の構成ソリューションも同様に可能である。
【０１９０】
この実施形態では、接続ユニット２３１は、特に駆動装置２３３及び／又はラック２３７に対して好ましくは固定される、移動不能である、及び／又は静止状態にあり、及び／又は締結ユニット２３２、中間ユニット２３０、及び／又は持ち上げ装置２３８のみが、駆動装置２３３を用いて移動可能／摺動可能であり、及び／又は駆動される。しかし、特に中間ユニット２３０、締結ユニット２３２、及び／又は持ち上げ装置２３８に加えて又はこれらに代えて接続ユニット２３１が移動可能／摺動可能な他の構成ソリューションも同様に可能である。接続ユニット２３１は、駆動装置２３３又は追加の駆動装置によって駆動することができる。
【０１９１】
以下の説明は、主としてこの実施形態、すなわち、締結ユニット２３２、中間ユニット２３０、及び／又は持ち上げ装置２３８の移動に関する実施形態に言及するが、特に、締結ユニット２３２、中間ユニット２３０、及び／又は持ち上げ装置２３８に加えて又はこれらに代えて接続ユニット２３１が移動可能／摺動可能な他の実施形態に相応に当て嵌めることができる。
【０１９２】
駆動装置２３３は、締結ユニット２３２、中間ユニット２３０、及び／又は持ち上げ装置２３８を前後に及び／又は（好ましくは、固定された）接続ユニット２３１の方向及びそれから離れる方向に移動する／作動するように好ましくは適応される。
【０１９３】
駆動装置２３３、特にそのシャフト２３３Ｄは作動軸線ＡＡを好ましくは含み／定め、好ましくは、シャフト２３３Ｄ及び／又は作動軸線ＡＡは、中間ユニット２３０又はその主平面、接続ユニット２３１又はその主平面、及び／又は締結ユニット２３２又はその主平面に対して少なくとも本質的に垂直に配置され、及び／又は中間ユニット２３０、接続ユニット２３１、及び／又は締結ユニット２３２の少なくとも本質的に中心を通って及び／又は分析器２００、特に締結システム２８０、中間ユニット２３０、接続ユニット２３１、及び／又は締結ユニット２３２の重心を通って延びる。
【０１９４】
駆動装置２３３、特にその駆動ヘッド２３３Ｅは、締結ユニット２３２（の中心）及び／又は中間ユニット２３０（の中心）に好ましくは取り付けられる。
【０１９５】
好ましくは、締結ユニット２３２及び／又は中間ユニット２３０は、接続ユニット２３１と駆動装置２３３、特にその駆動ヘッド２３３Ｅとの間に配置される。最も好ましくは、中間ユニット２３０は、接続ユニット２３１と締結ユニット２３２の間に配置される。
【０１９６】
上述のように、分析器２００、特に締結システム２８０は、以下でラック２３７と呼ぶ装着フレーム／ラック２３７を好ましくは含み、好ましくは、締結システム２８０の一部又は全ての部分、特に中間ユニット２３０、接続ユニット２３１、締結ユニット２３２、駆動装置２３３、案内装置２３４、持ち上げ装置２３８、及び／又は開放装置２３９は、ラック２３７上に（直接的に）装着される及び／又はそれに（剛的／移動不能に）取り付けられる。
【０１９７】
この実施形態では、接続ユニット２３１、駆動装置２３３、案内装置２３４、持ち上げ装置２３８、及び／又は開放装置２３９は、ラック２３７上に直接装着され及び／又は剛的／移動不能に取り付けられ、それに対して締結ユニット２３２及び中間ユニット２３０は、特に案内装置２３４を介してラック２３７に移動可能に取り付けられる。
【０１９８】
ラック２３７は、締結システム２８０の一部又は全ての部分、特に接続ユニット２３１、駆動装置２３３、及び／又は案内装置２３４を装着するための少なくとも１つの装着面２３７Ａを好ましくは含む。最も好ましくは、ラック２３７は、接続ユニット２３１に対する少なくとも１つの装着面２３７Ａ、駆動装置２３３に対する少なくとも１つの装着面２３７Ａ、及び／又は案内装置２３４に対する少なくとも１つの装着面２３７Ａを含む。
【０１９９】
好ましくは、接続ユニット２３１、案内装置２３４、持ち上げ装置２３８、及び開放装置２３９は、ラック２３７、特にその装着面２３７Ａに圧力嵌め方式で及び／又はねじ込みによって接続される。
【０２００】
ラック２３７は、締結システム２８０の一部又は全ての部分、特に中間ユニット２３０、接続ユニット２３１、締結ユニット２３２、駆動装置２３３、案内装置２３４、持ち上げ装置２３８、及び／又は開放装置２３９に好ましくは機械的に接続する及び／又はこれらを保持／支持する。
【０２０１】
最も好ましくは、ラック２３７は、少なくとも本質的に平坦及び／又は板状である及び／又は主延長平面を含む又は定める。
【０２０２】
ラック２３７は、締結システム２８０の一部又は全ての部分、特に中間ユニット２３０、接続ユニット２３１、締結システム２３２、駆動装置２３３、案内装置２３４、持ち上げ装置２３８、及び／又は開放装置２３９の周りに好ましくは延びる及び／又はこれらを取り囲む。
【０２０３】
ラック２３７は、好ましくは剛性であり、及び／又は金属、最も好ましくはアルミニウムで製造される。
【０２０４】
好ましくは、ラック２３７は、緩衝体２８３よりも硬質／剛質である。
【０２０５】
上述のように、分析器２００、特に締結システム２８０は、中間ユニット２３０、接続ユニット２３１、及び／又は締結ユニット２３２を（移動可能／摺動可能に）案内／担持するための案内装置２３４を好ましくは含む。
【０２０６】
この実施形態では、締結ユニット２３２と任意的な中間ユニット２３０の両方は、駆動装置２３３を用いて駆動／移動され、案内装置２３４を用いて案内される。しかし、ユニット２３０、２３２の一方、特に締結ユニット２３２のみを駆動装置２３３を用いて駆動／移動し、案内装置２３４を用いて案内することも可能である。
【０２０７】
これに加えて又はこれに代えて、接続ユニット２３０を案内装置２３４を用いて案内することができる。
【０２０８】
以下では、主として締結ユニット２３２の移動／案内を説明する。しかし、中間ユニット２３０及びこれに加えて又はこれに代えて接続ユニット２３１を同じか又は類似の方式で駆動する／移動する／案内することができる。
【０２０９】
案内装置２３４は、締結ユニット２３２を特に移動可能／摺動可能方式で及び／又はそれが接続ユニット２３１に向けて及びそれから離れるように最も好ましくはラック２３７内で移動／摺動することができるように好ましくは保持／担持／案内する。
【０２１０】
案内装置２３４は、締結ユニット２３２及び／又は中間ユニット２３０を案内する（直線）案内軌道を好ましくは含む／形成する。
【０２１１】
案内装置２３４は、好ましくは、直線運動ベアリングとして具現化される及び／又は予め定められた軌道上での中間ユニット２３０及び／又は締結ユニット２３２の直線移動を可能にする。
【０２１２】
中間ユニット２３０及び／又は締結ユニット２３２は、両側／対向する両側で及び／又は縁部で案内装置２３４を用いて好ましくは保持／案内／担持される。
【０２１３】
案内装置２３４は、中間ユニット２３０及び／又は締結ユニット２３２を移動可能／摺動可能に案内するための複数のガイド、ここでは２つのガイド２３４Ａ、２３４Ｂを好ましくは含む。
【０２１４】
好ましくは、案内装置２３４は、以下で第１のガイド２３４Ａと呼ぶ第１の／主ガイド２３４Ａと、以下で第２のガイド２３４Ｂと呼ぶ第２の／補償ガイド２３４Ｂとを含む。
【０２１５】
案内装置２３４は、複数のレール／ロッド２３４Ｃ、２３４Ｄ及び／又は複数のブッシュ／スライド／ベアリング２３４Ｅを好ましくは含む。案内装置２３４は、第１の／主要レール２３４Ｃと、第２の／補償レール２３４Ｄと、第１の／主ブッシュ２３４Ｅと、第２の／補償ブッシュ（図示せず）とを好ましくは含む。
【０２１６】
最も好ましくは、第１のガイド２３４Ａは、第１のレール２３４Ｃ及び主ブッシュ２３４Ｅを含む及び／又はこれらによって形成され、及び／又は第２のガイド２３４Ｂは、第２のレール２３４Ｄ及び／又は補償ブッシュを含む及び／又はこれらによって形成される。
【０２１７】
好ましくは、ブッシュ２３４Ｅは、対応するレール２３４Ｃ、２３４Ｄに移動可能／摺動可能に取り付けられる。特に、主ブッシュ２３４Ｅは、第１のレール２３４Ｃに移動可能／摺動可能に取り付けられ、補償ブッシュは、第２のレール２３４Ｄに移動可能／摺動可能に取り付けられる。
【０２１８】
案内装置２３４には、同じく主ブッシュ２３４Ｅ及び／又は補償ブッシュとして具現化することができる更に別のブッシュを装備することができる。
【０２１９】
ガイド２３４Ａ、２３４Ｂ、特にレール２３４Ｃ、２３４Ｄは、好ましくは、細長である及び／又は分析器２００、特にその締結システム２８０の長さにわたって少なくとも部分的に延びる。
【０２２０】
好ましくは、ガイド２３４Ａ、２３４Ｂ、特にレール２３４Ｃ、２３４Ｄはバー／ロッド形であり、丸形／円形の断面を有し、及び／又は円筒形である。しかし、レール２３４Ｃ、２３４Ｄを非円形断面形状を有するプロファイル付きレールとして具現化することも可能である。
【０２２１】
ガイド２３４Ａ、２３４Ｂ、特にレール２３４Ｃ、２３４Ｄは、ラック２３７の長辺内に好ましくは配置される及び／又は統合される。別の好ましい実施形態（図示せず）により、ガイド２３４Ａ、２３４Ｂ、特にレール２３４Ｃ、２３４Ｄは、ラック２３７の長辺を好ましくは形成する。
【０２２２】
好ましくは、ガイド２３４Ａ、２３４Ｂ、特にレール２３４Ｃ、２３４Ｄは、少なくとも本質的に互いに平行に、締結システム２８０、特にラック２３７の長辺と平行に、駆動装置２３３のシャフト２３３Ｄ及び／又はラック２３７の両方の辺と平行に配置される。
【０２２３】
第１のガイド２３４Ａ及び／又は第１のレール２３４Ｃは、第１の案内軸線ＡＧ１を好ましくは含む／定め、及び／又は第２のガイド２３４Ｂ及び／又は第２のレール２３４Ｄは、第２の案内軸線ＡＧ２を好ましくは含む／定める。
【０２２４】
好ましくは、案内装置２３４、特にガイド２３４Ａ、２３４Ｂ、レール２３４Ｃ、２３４Ｄ、及び／又は案内軸線ＡＧ１、ＡＧ２は、ラック２３７の主平面及び／又は駆動装置２３３の作動軸線ＡＡと平行に配置され、及び／又は中間ユニット２３０の主平面、接続ユニット２３１の主平面、締結ユニット２３２の主平面、及び／又は挿入されたカートリッジ１００の主平面Ｈに対して少なくとも本質的に垂直に配置される。
【０２２５】
案内装置２３４、特にガイド２３４Ａ、２３４Ｂ及び／又はレール２３４Ｃ、２３４Ｄは、ラック２３７、特にその装着面２３７Ａ及び／又は接続ユニット２３１上に好ましくは装着される及び／又はこれらに取り付けられる。
【０２２６】
ガイド２３４Ａ、２３４Ｂ、特にレール２３４Ｃ、２３４Ｄは、一端でラック２３７、特にその装着面２３７Ａ上に／そこに好ましくは取り付けられる／装着され、及び／又は他端で接続ユニット２３１上に／そこに取り付けられる／装着される。
【０２２７】
以下では、分析器２００の開閉機構／方法を図７及び図８を参照して説明する。
【０２２８】
分析器２００の開閉機構／方法は、締結システム２８０を用いて好ましくは行われ、及び／又は分析器２００及び／又はハウジング２１２を開く段階と、カートリッジ１００を受け入れる段階と、カートリッジ１００を位置決めする／位置合わせする段階と、カートリッジ１００を締結する段階と、カートリッジ１００を解除する段階と、カートリッジ１００を吐出する段階とを好ましくは含む。
【０２２９】
カートリッジ１００及び／又は締結システム２８０、特に締結ユニット２３２、中間ユニット２３０、及び／又は持ち上げ装置２３８は、その位置／状態を閉鎖及び／又は開放の機構／方法中に好ましくは（共通の）駆動装置２３３を用いて好ましくは変化させる。
【０２３０】
カートリッジ１００を分析器２００の中に挿入するために、分析器２００、特にそのハウジング２１２は、上述のように特に開放装置２３９を用いて好ましくは開かれることになる。
【０２３１】
開放装置２３９は、分析器２００、特にハウジング２１２を最も好ましくはアクセスカバー／ハウジング部品２１２Ｂを移動することによって開放及び／又は閉鎖するように好ましくは適応される。
【０２３２】
開放装置２３９は、開放ドライブ２３９Ａ、シャフト２３９Ｄ、及び／又は図５にも示す好ましくはフレーム状の支持体２３９Ｃを好ましくは含む。
【０２３３】
開放装置２３９は、好ましくは、ステッパモータとして具現化され、及び／又はシャフト２３９Ｄとして好ましくはねじ切りスピンドルを含む。
【０２３４】
開放装置２３９、特にそのシャフト２３９Ｄは、アクセスカバー／ハウジング部品２１２Ｂに特に支持体２３９Ｃを介して好ましくは機械的に接続される。最も好ましくは、ハウジング部品２１２Ｂは、開放装置２３９、特に支持体２３９Ｃ上に好ましくは形状適合方式及び／又は圧力嵌め方式で及び／又はねじ込みによって装着される。
【０２３５】
開放装置２３９、特にそのドライブ２３９Ａは、締結システム２８０及び／又はラック２３７に好ましくは（剛的に）取り付けられる。
【０２３６】
特に、図７及び図８に矢印で示すように分析器２００を開閉するために、開放装置２３９を用いてアクセスカバー／ハウジング部品２１２Ｂを好ましくは直線的に及び／又は前後に移動することができる。
【０２３７】
少なくとも初期位置にある時に、任意的な中間ユニット２３０は、カートリッジ１００を特に締結ユニット２３２と接続ユニット２３１の間に受け入れる、位置決めする、向きを決定する、及び／又は保持するように好ましくは適応される。
【０２３８】
好ましくは、中間ユニット２３０は持ち上げ装置２３８を含む。最も好ましくは、持ち上げ装置２３８は、中間ユニット２３０の中に統合される及び／又は中間ユニット２３０と共に移動される。
【０２３９】
持ち上げ装置２３８は、カートリッジ１００を受け入れるように、及び／又はカートリッジ１００を分析器２００、特に締結システム２８０、中間ユニット２３０、及び／又は締結ユニット２３２の中に及び／又は外に移動するように好ましくは適応される。
【０２４０】
カートリッジ１００の受け入れ方向及び／又は持ち上げ装置２３８の持ち上げ移動は、締結システム２８０、特に締結ユニット２３２及び／又は中間ユニット２３０の作動／閉鎖／開放移動及び／又は作動軸線ＡＡの方向に対して横断方向、特に垂直に好ましくは延びる。
【０２４１】
中間ユニット２３０は、特に、カートリッジ１００を分析器２００に機械的、電気的、熱的、及び／又は流体的に接続するのに使用される接続ユニット２３１に対してカートリッジ１００を（直接的に）押圧するように好ましくは適応される。
【０２４２】
締結ユニット２３２は、中間ユニット２３０を位置決めする／位置合わせする、向きを決定する及び／又は保持するように好ましくは適応される。最も好ましくは、締結ユニット２３２は、それとカートリッジ１００の間に配置された中間ユニット２３０を用いてカートリッジ１００を位置決めする／位置合わせする、向きを決定する及び／又は保持するように適応される。
【０２４３】
従って、締結ユニット２３２は、カートリッジ１００に対して間接方式で及び／又は中間ユニット２３０を用いて好ましくは（主として）作用する。
【０２４４】
これに加えて及び／又はこれに代えて、締結ユニット２３２は、カートリッジ１００に対して直接方式で作用する。最も好ましくは、締結ユニット２３２は、カートリッジ１００の１又は２以上のバルブ１１５Ａを（直接的に）作動する、特に開くように適応される。
【０２４５】
特に、締結ユニット２３２は、後に説明するようにカートリッジ１００の１又は２以上のバルブ１１５Ａを作動、特に開くためのアクチュエータ２０５Ａを含む又は形成する。
【０２４６】
この実施形態では、締結ユニット２３２は、カートリッジ１００に対して直接的及び間接的に、すなわち、中間ユニット２３０を介してその両方で作用する。しかし、締結ユニット２３２又は中間ユニット２３０のいずれかのみがカートリッジ１００に対して直接方式で作用することも可能である。
【０２４７】
図７は、開放状態／位置にある分析器２００、すなわち、そのハウジング２１２と、初期位置にある締結システム２８０、特に締結ユニット２３２及び／又は中間ユニット２３０と、転移位置にある持ち上げ装置２３８とを示している。
【０２４８】
分析器２００の開放状態／位置は、好ましくは、開口部２１３が形成されたレセプタクル２０１がアクセス可能な位置、持ち上げ装置２３８が転移位置にある位置、及び／又はカートリッジ１００を分析器２００、特に締結システム２８０、中間ユニット２３０、持ち上げ装置２３８、及び／又はレセプタクル２０１の中に挿入する及び／又はこれらから取り出すことができる位置である。
【０２４９】
持ち上げ装置２３８の転移位置は、好ましくは、（新しい）カートリッジ１００を受け入れる及び／又は（新しい）カートリッジ１００を分析器２００の中に移動するように持ち上げ装置２３８が待機する位置、及び／又は（使用された）カートリッジ１００を分析器２００から吐出させるか又は取り出すことができる位置である。好ましくは、持ち上げ装置２３８の転移位置では、特に、カートリッジ１００が図７に示すように分析器２００又はそのハウジング２１２又は開口部２１３の外に突出するように、及び／又はカートリッジ１００を把持することができるように、持ち上げ装置２３８の保持要素２３８Ｂが上方に完全に移動されている。
【０２５０】
締結システム２８０、特に締結ユニット２３２及び／又は中間ユニット２３０の初期／受け入れ位置は、好ましくは、持ち上げ装置２３８を使用することができる位置、及び／又はカートリッジ１００を締結システム２８０、特に締結ユニット２３２及び／又は中間ユニット２３０の中に挿入する及び／又はこれらによって最も好ましくは持ち上げ装置２３８を用いて受け入れることができる位置である。
【０２５１】
好ましくは、初期／受け入れ位置では、一方を締結ユニット２３２及び／又は中間ユニット２３０とし、他方を接続ユニット２３１とする両方の間の距離が最大にされ、及び／又は締結ユニット２３２及び／又は中間ユニット２３０が接続ユニット２３１から引き離される。
【０２５２】
図８は、図７に対応するものであるが、持ち上げ装置２３８を最終位置に示している。分析器２００のハウジング２１２は（既に）閉じている。締結ユニット２３２及び中間ユニット２３０は検査位置にある。
【０２５３】
持ち上げ装置２３８の最終位置は、好ましくは、持ち上げ装置２３８がカートリッジ１００を完全に受け入れた／引き下げた位置である。好ましくは、特に、カートリッジ１００が分析器２００又はそのハウジング２１２又は開口部２１３の外に突出しないように、及び／又は分析器２００、特にそのハウジング２１２をカートリッジ１００と干渉することなく閉じることができるように、持ち上げ装置２３８の保持要素２３８Ｂは、持ち上げ装置２３８の最終位置に下向きに完全に移動されている。
【０２５４】
好ましくは、検査位置は、締結ユニット２３２、中間ユニット２３２、及びカートリッジ１００が接続ユニット２３２に向けて一緒に移動された位置である。特に、締結ユニット２３２及び中間ユニット２３０は、一方を締結ユニット２３２及び／又は中間ユニット２３０とし、他方を接続ユニット２３１とする両方の間にカートリッジ１００が締結されるまで接続ユニット２３１に向けて初期位置から既に移動されている。
【０２５５】
締結システム２８０、特に締結ユニット２３２及び／又は中間ユニット２３０の検査位置は、好ましくは、中間ユニット２３２がカートリッジ１００に当接する、それに向けて完全に移動される、及び／又はそれに対して押圧された位置、及び／又はカートリッジ１００が接続ユニット２３１に当接する、それに向けて完全に移動される、及び／又はそれに対して位置決めされた／押圧された位置である。
【０２５６】
好ましくは、カートリッジ１００は、検査位置で一方を締結ユニット２３２及び／又は中間ユニット２３０とし、他方を接続ユニット２３１とする両方の間に移動不能に保持される。最も好ましくは、検査位置では、中間ユニット２３０と接続ユニット２３１の間の距離は最小にされる。
【０２５７】
最も好ましくは、検査位置では及び／又は検査位置に到達した時に、カートリッジ１００の複数又は全ての（初期閉鎖）バルブ１１５Ａは、好ましくは、締結ユニット２３２及び／又は１又は２以上のアクチュエータ装置２０５Ａを用いて作動される、特に押し開けられる。
【０２５８】
好ましくは、特に、カートリッジ１００を接続ユニット２３１に向けて移動するために、及び特に１又は２以上のバルブ１１５Ａを開けるためにも、締結ユニット２３２と中間ユニット２３０は、第１の移動期間又は第１の段階では一緒に移動することができ、第２の移動期間又は第２の段階では移動方向に互いに相対的に移動することができる。
【０２５９】
締結システム２８０、特に締結ユニット２３２及び／又は中間ユニット２３０の検査位置は、好ましくは、最終位置であり、及び／又は駆動装置２３３の駆動ヘッド２３３Ｅと締結ユニット２３２の間の距離が最小にされる位置、駆動ヘッド２３３Ｅが締結ユニット２３２に向けて完全に移動された及び／又はそれに当接する位置、及び／又はカートリッジ１００に対して作用される力が最大にされる位置である。
【０２６０】
好ましくは、検査は、検査位置に到達した時に（初めて）行うことができる。
【０２６１】
中間ユニット２３０及び／又は締結ユニット２３２は、初期位置から検査位置に又はその逆に駆動装置２３３を用いて好ましくは移動することができる。
【０２６２】
カートリッジ１００が受け入れられる及び／又は持ち上げ装置２３８が最終位置にある状態で、特に、カートリッジ１００が接続ユニット２３１に当接する及び／又は接続ユニット２３１上に又はそれに対して望ましい方式で位置決めされるまで、カートリッジ１００が接続ユニット２３１と中間ユニット２３０の間に望ましい方式で締結されるまで、及び／又は検査位置に到達するまで、カートリッジ１００、締結ユニット２３２、及び／又はカートリッジ１００を閉じ込める中間ユニット２３０は、第１の段階／移動期間において好ましくは接続ユニット２３１に向けて移動され、特に押される。
【０２６３】
分析器２００、特に締結システム２８０は、締結ユニット２３２と中間ユニット２３０を互いに機械的に接続するための第１のカプリング／接続部２８４と、中間ユニット２３０と駆動ヘッド２３３Ｅを互いに機械的に接続するための第２のカプリング／接続部２８５とを好ましくは含む。
【０２６４】
第１のカプリング２８４は、締結ユニット２３２と中間ユニット２３０の間に好ましくは配置される。
【０２６５】
第２のカプリング２８５は、駆動ヘッド２３３Ｅと締結ユニット２３２の間に好ましくは配置される又は作用する。
【０２６６】
従って、カプリング２８４、２８５は、好ましくは直列に配置される。
【０２６７】
好ましくは、カプリング２８４は、特に作動方向に可撓性／屈曲性／圧縮性を有する。
【０２６８】
分析器２００、特に締結システム２８０は、検出装置２８６を好ましくは含み、好ましくは、検出装置２８６は、中間ユニット２３０、接続ユニット２３１、締結ユニット２３２、及び／又は駆動ヘッド２３３Ｅの特に互いに対して相対的な移動及び／又は位置、及び／又は検査位置に到達したか否かを検出するように適応される。
【０２６９】
最も好ましくは、検出装置２８６は、第２のカプリング２８５、特にそのカプリングバネの圧縮、及び／又は予め定められたバネ撓みに達したか否かを（直接的に）検出するように適応される。
【０２７０】
好ましくは、駆動装置２３３は、検出装置２８６を用いて及び／又は検出装置２８６が最終位置を検出した場合に停止される。
【０２７１】
検出装置２８６は、好ましくは、光電センサとして具現化され、及び／又は送信器、受信器、及び任意的な反射器を含む。
【０２７２】
検出装置２８６は、特に（予め定められた）バネ撓みを直接に検出するために締結ユニット２３２、特にその上部に好ましくは剛的／移動不能に取り付けられる。しかし、検出装置２８６を分析器２００の他の部分、特に駆動ヘッド２３３Ｅ、接続ユニット２３１、中間ユニット２３０、及び／又はラック２３７に取り付けることも可能である。
【０２７３】
図９は、接続ユニット２３１の概略斜視図である。
【０２７４】
接続ユニット２３１は、カートリッジ、特にその背面１００Ｂに対する当接面又は接触面を好ましくは形成する。
【０２７５】
好ましくは、接続ユニット２３１は、カートリッジ１００を締結位置及び／又は検査位置で支持する対応する接触面又は支持領域２３１Ｂを含む／形成する。
【０２７６】
カートリッジ１００は、検査位置に定められた方式で好ましくは位置決めされる／向けられる。この位置決め／向き決定は、特に中間ユニット２３０及び／又は接続ユニット２３１との対応する係合によって達成することができる。
【０２７７】
図示の例では、接続ユニット２３１は、検査位置で関連の位置決め部分１２６を受け入れ、それによってカートリッジ１００をその主平面Ｈに配置するための特に陥凹又は凹部として設計された少なくとも１つの係合部分２３１Ｃを好ましくは含む。
【０２７８】
特に好ましくは、２つの係合部分２３１Ｃが、検査位置でカートリッジ１００の２つの位置決め部分１２６と相互作用する及び／又は２つの位置決め部分１２６内で係合する又はこれらと係合する接続ユニット２３１上に形成される。
【０２７９】
特に好ましくは、一方の係合部分２３１Ｃ、この場合は下側の係合部分２３１Ｃはスロット又は楕円形の孔の形態にあり、それに対して他方のこの場合は上側の係合部分２３１Ｃは、円形の孔の形態にある。これは、最適な位置決めを提供し、傾斜／妨害のリスクを低減する。
【０２８０】
接続ユニット２３１は、特に、案内装置２３４、特に第１のレール２３４Ｃ及び第２のレール２３４Ｄを受け入れるか又は担持するために案内装置２３４に対する横方向担持部分２３１Ａを好ましくは含む。
【０２８１】
接続ユニット２３１は、好ましくは、１又は２以上の温度制御装置２０４、この場合は特に（更に別の）反応温度制御装置２０４Ａ及び／又はセンサ温度制御装置２０４Ｃを保持する又は含む。
【０２８２】
接続ユニット２３１の反応温度制御装置２０４Ａは、中間ユニット２３０の反応温度制御装置２０４Ａの好ましくは反対側である。
【０２８３】
従って、カートリッジ１００及び／又はその１又は２以上の反応キャビティ１０９は、特に、温度制御装置２０４Ａが１又は複数の反応キャビティ１０９の領域内で反対側からカートリッジ１００に対して又はその周りに位置決めされるようにこれら２つの温度制御装置２０４Ａの間に好ましくは受け入れられる、配置される、及び／又は締結される。
【０２８４】
これは、１又は複数の反応キャビティ１０９が最適な方式で温度制御されることを可能にする。
【０２８５】
しかし、１つのみの反応温度制御装置２０４Ａが中間ユニット２３０又は接続ユニット２３１のいずれかの上に設けられる他のソリューションもここでは可能である。
【０２８６】
２つの温度制御装置２０４Ａの一方は、好ましくは、浮動的に装着される及び／又は温度制御装置２０４Ａが有効及び／又は確実な方式で及び／又はその面全体にわたってカートリッジ１００に対して位置決めされることを保証し、それによって良好な熱結合も保証されるように弾力的に事前装填される。
【０２８７】
特に、接続ユニット２３１の温度制御装置２０４Ａは、それがカートリッジ１００の陥凹、凹部、又は低減壁厚領域１０１Ｅ内に係合するようにカートリッジ１００に向けて突出する。１又は複数の反応キャビティ１０９の領域内の主本体１０１の壁厚の低減は、温度制御装置２０４Ａと反応キャビティ１０９内の流体の間の改善された熱結合を可能にする及び／又は熱抵抗を低減することで有利である。
【０２８８】
反応キャビティ１０９も、主平面Ｈと垂直に非常に小さい断面を好ましくは有し、すなわち、これらのキャビティの断面は非常に平坦であり、これらのキャビティは、主平面Ｈに対して少なくとも実質的に平行な面の広がりを有し、従って、これらのキャビティ１０９の高さは主平面Ｈと垂直に低い。これは、反応キャビティ１０９内の流体と温度制御装置２０４Ａの間の良好な熱結合を可能にする。
【０２８９】
図９に示すセンサ温度制御装置２０４Ｃは、検査位置でセンサ装置１１３及び／又は接点１１３Ｅ間の中心領域１１３Ｈがセンサ温度制御装置２０４Ｃに対して位置決めされる又は当接するように好ましくは配置される及び／又は好ましくは突出する。これは、特に、熱がセンサ温度制御装置２０４Ｃからセンサ装置１１３を介してセンサ区画及びそこに位置付けられた流体に又はその逆に伝達されるようにセンサ区画及びそこに位置付けられた流体及び反応を望ましい方式で温度制御するための熱結合を生成する。
【０２９０】
接続装置２０３又はその接触要素２０３Ａは、センサ装置１１３又はその接点１１３Ｅに電気的に接続又は電気接触するように温度制御装置２０４Ｃの特に周囲に配置される。
【０２９１】
接続ユニット２３１は、カートリッジ１００の割り当てられた（通常開放）バルブ１１５Ｂを作動するための１つ、複数、又は全てのアクチュエータ装置２０５Ｂを好ましくは支持する。必要に応じてカートリッジ１００に対して作用することができる複数のアクチュエータ装置２０５Ｂが設けられることを図９から見ることができる。
【０２９２】
アクチュエータ装置２０５Ｂは、接続ユニット２３１の特に主本体２３１Ｄ内に統合される。図示の例では、主本体２３１Ｄは、複数の板又は板形構成要素から好ましくは構成される又は組み立てられる。
【０２９３】
接続ユニット２３１は、ポンプドライブ２０２を好ましくは支持又は保持する。特に、ポンプドライブ２０２はまた、図７から図９に示すように主本体２３１Ｄ内に統合される。
【０２９４】
特に、ポンプドライブ２０２のモータ２０２Ａは、ポンプドライブ２０２のポンプヘッド２０２Ｂを駆動する。
【０２９５】
ポンプドライブ２０２及び／又はポンプヘッド２０２Ｂは、カートリッジ１００及び／又は中間ユニット２３０に向けて指向し、従って、ポンプヘッド２０２Ｂは、検査位置でカートリッジ１００のポンプ装置１１２に対して望ましい方式で作用することができる。特に、ポンプヘッド２０２Ｂを回転させることによって流体（ガス又は液体）をポンプ装置１１２内、従って、カートリッジ１００内で搬送することができる。この場合に、このポンピングは、ポンプドライブ２０２及び／又はポンプモータ２０２Ａを相応に作動させることによって制御される。
【０２９６】
ポンプドライブ２０２又はそのポンプモータ２０２Ａ及び温度制御装置２０４は、好ましくは、電気的に作動され、特に電源２１１によって電力供給される及び／又は制御装置２０７によって制御される。
【０２９７】
好ましくは、アクチュエータ装置２０５Ｂのような分析器２００の複数の装置、及び／又はポンプ装置１１２及びセンサ装置１１３のようなカートリッジ１００の複数の装置は、加圧ガス供給装置２１４による供給を受け、及び／又は制御装置２０７によって及び／又は対応するバルブを起動し、加圧されたガス、特に空気を相応に加圧ガス供給装置２１４から供給することによって制御及び／又は作動される。
【０２９８】
以下では、加圧ガス供給装置２１４の概略図１０を参照して加圧ガス供給装置２１４を説明する。
【０２９９】
分析器２００、特に加圧ガス供給装置２１４は、少なくとも１つの入口２１４Ｄ、少なくとも１つのフィルタ２１４Ｅ、入口サイレンサ２１４Ｆ、入口ガスストレージ２１４Ｇ、圧縮器２１４Ｂ、主ガスストレージ２１４Ｃ、主圧力センサ２１４Ｈ、中間ガスストレージ２１４Ｉ、中間圧力センサ２１４Ｊ、少なくとも１つの出口サイレンサ２１４Ｋ、第１の接続要素２１４Ａ、第２の接続要素２１４Ｌ、少なくとも１つのアクチュエータ装置２０５Ｂ、複数の空気圧ライン２１４Ｍ、排出バルブ２８８、主バルブ２８９、中間バルブ２９０、スロットル又はスロットルバルブ２９１、及び／又は少なくとも１つ、好ましくは複数の作動バルブ２９２〜２９４、特に第１の作動バルブ２９２、第２の作動バルブ２９３、及び１又は２以上の第３の作動バルブ２９４を好ましくは含む。
【０３００】
フィルタ２１４Ｅ、入口サイレンサ２１４Ｆ、入口ガスストレージ２１４Ｇ、圧縮器２１４Ｂ、主ガスストレージ２１４Ｃ、主圧力センサ２１４Ｈ、中間ガスストレージ２１４Ｉ、中間圧力センサ２１４Ｊ、出口サイレンサ２１４Ｋ、接続要素２１４Ａ及び２１４Ｌ、アクチュエータ装置２０５Ｂ、排出バルブ２８８、主バルブ２８９、中間バルブ２９０、スロットルバルブ２９１、及び／又は作動バルブ２９２〜２９４は、流体的に、特に空圧的に及び／又は空気圧ライン２１４Ｍを用いて互いに好ましくは接続される又は接続可能である。
【０３０１】
空気圧ライン２１４Ｍは、好ましくは、（可撓性）チューブとして具現化される及び／又はプラスチックで製造される。
【０３０２】
好ましくは、空気圧ライン２１４Ｍは、主ガスストレージ２１４Ｃ及び／又は中間ガスストレージ２１４Ｉの断面よりも小さい断面を含む。
【０３０３】
圧縮器２１４Ｂ、主圧力センサ２１４Ｈ、中間圧力センサ２１４Ｊ、排出バルブ２８８、主バルブ２８９、中間バルブ２９０、スロットルバルブ２９１、及び／又は作動バルブ２９２〜２９４は、図１０に破線に示すように（共通の）制御装置２０７に好ましくは電気的に接続される及び／又はそれによって制御／作動される。
【０３０４】
加圧ガス供給装置２１４は、加圧作動媒体、好ましくはガス、特に空気を提供するように好ましくは適応される。
【０３０５】
好ましくは、分析器２００及び／又はカートリッジ１００の少なくとも１つの装置１１２、１１３、２０５Ｂは、空圧的に、圧縮／加圧空気を用いて／により、及び／又は加圧ガス供給装置２１４を用いて作動／動力供給される。
【０３０６】
最も好ましくは、ポンプ装置１１２、センサ装置１１３、（通常開放）バルブ１１５Ｂに対するアクチュエータ装置２０５Ｂ、駆動装置２３３、持ち上げ装置２３８、及び／又は開放装置２３９は、空圧的に、圧縮空気を用いて／により、及び／又は加圧ガス供給装置２１４を用いて動力供給／作動される。
【０３０７】
加圧ガス供給装置２１４は、加圧／圧縮空気をカートリッジ１００、特にポンプ装置１１２及び／又はセンサ装置１１３に、及び／又は締結システム２８０、特に接続ユニット２３１及び／又はアクチュエータ装置２０５Ｂに供給するように好ましくは適応される。
【０３０８】
加圧ガス供給装置２１４は、分析器２００又はそのハウジング２１２内に好ましくは統合される。
【０３０９】
加圧ガス供給装置２１４、特にその圧縮器２１４Ｂは、電気的に及び／又は電力を用いて好ましくは作動される。特に、加圧ガス供給装置２１４、好ましくは圧縮器２１４Ｂには、電源２１１（図１０には示さず）を用いて電力を供給することができる。
【０３１０】
分析器２００、特にその加圧ガス供給装置２１４は、好ましくは、開回路として具現化される。最も好ましくは、加圧ガス供給装置２１４は、作動媒体に対する開回路内に統合される。しかし、特に分析器２００、最も好ましくはその加圧ガス供給装置２１４が閉回路を含む又は形成する及び／又はそこに統合される他のソリューションも同様に可能である。
【０３１１】
分析器２００、特にその加圧ガス供給装置２１４は、その周りから空気を取り込む及び／又はその周りを作動媒体に対するリザーバとして使用するように好ましくは適応される。しかし、分析器２００、特に加圧ガス供給装置２１４が作動媒体に対するタンク又は容器のような好ましくは閉じたリザーバを含む及び／又はそれに接続される又は接続可能であることも可能である。
【０３１２】
好ましくは、入口２１４Ｄ及び／又はフィルタ２１４Ｅを通して分析器２００、特に加圧ガス供給装置２１４の中に空気を引き込むことができる。
【０３１３】
分析器２００、特に加圧ガス供給装置２１４の（空気）入口２１４Ｄは、ハウジング２１２内の好ましくは開口部として具現化される。
【０３１４】
フィルタ２１４Ｅは、入口２１４Ｄ及び／又はハウジング２１２内に好ましくは配置される。
【０３１５】
フィルタ２１４Ｅは、好ましくは、マイクロフィルタ又は微粒子フィルタとして具現化され、好ましくは、１０マイクロメートル又は５マイクロメートルよりも大きい粒径を有する粒子をフィルタ２１４Ｅを用いて分離することができ、好ましくは、この粒径は、それぞれの粒子の最大直径又は平均直径である。
【０３１６】
入口サイレンサ２１４Ｆ及び／又は入口ガスストレージ２１４Ｇは、好ましくは、入口２１４Ｄ及び／又はフィルタ２１４Ｅ内又はこれらの下流での分析器２００、特に加圧ガス供給装置２１４のノイズを低減するように好ましくは適応される。
【０３１７】
入口サイレンサ２１４Ｆは、好ましくは、流体的に入口２１４Ｄ及び／又はフィルタ２１４Ｅの下流及び／又は圧縮器２１４Ｂ及び／又は入口ガスストレージ２１４Ｇの（直ぐ）上流に配置される。
【０３１８】
任意的な入口ガスストレージ２１４Ｇは、一方を圧縮器２１４Ｂとし、他方を入口２１４Ｄ、フィルタ２１４Ｅ、及び／又は入口サイレンサ２１４Ｆとする両方の間の緩衝器として好ましくは機能する。
【０３１９】
入口ガスストレージ２１４Ｇは、５ｍｌよりも大きく又は１０ｍｌ、特に１５ｍｌよりも大きく、及び／又は５０ｍｌよりも小さく又は３０ｍｌ、特に２５ｍｌよりも小さい容積を好ましくは含む。
【０３２０】
圧縮器２１４Ｂは、好ましくは、一方を主ガスストレージ２１４Ｃとし、他方を入口２１４Ｄ、フィルタ２１４Ｅ、入口サイレンサ２１４Ｆ、及び／又は入口ガスストレージ２１４Ｇとする両方の間に流体的に配置される。最も好ましくは、圧縮器２１４Ｂは、主ガスストレージ２１４Ｃの（直ぐ）上流に位置付けられる。
【０３２１】
分析器２００、好ましくは加圧ガス供給装置２１４、特に圧縮器２１４Ｂは、１００ｋＰａよりも高く、特に１５０ｋＰａよりも高く又は２００ｋＰａ、及び／又は１ＭＰａよりも低く又は５００ｋＰａ、特に４００ｋＰａよりも低く又は３００ｋＰａの圧力に空気を圧縮し、及び／又は空気をこれらの圧力で主ガスストレージ２１４Ｃに供給するように好ましくは適応される。
【０３２２】
従って、主ガスストレージ２１４Ｃ内の圧力は、好ましくは、１００ｋＰａよりも高く、特に１５０ｋＰａよりも高く又は２００ｋＰａ、及び／又は１ＭＰａよりも低く又は５００ｋＰａ、特に４００ｋＰａよりも低く又は３００ｋＰａである。最も好ましくは、主ガスストレージ２１４Ｃ内の圧力は、少なくとも本質的に２００ｋＰａである。
【０３２３】
特に、主ガスストレージ２１４Ｃは、圧縮されたガス、特に空気を最も好ましくは上述の圧力で格納するように適応される。
【０３２４】
本発明の関連の範囲に使用する圧力及び／又は圧力値は、絶対圧力及び／又は絶対圧力値、すなわち、（完全な）真空（０ｋＰａ）と比較した圧力を好ましくは意味する。
【０３２５】
絶対圧力とは対照的に、相対圧力は、好ましくは、海面で約１００ｋＰａである周囲／雰囲気圧力と比較した圧力である。
【０３２６】
従って、２００ｋＰａの絶対圧力は、１００ｋＰａの相対圧力に好ましくは対応する。
【０３２７】
主圧力センサ２１４Ｈは、主ガスストレージ２１４Ｃ内及び／又は主ガスストレージ２１４Ｃと主バルブ２８９の間の空気圧ライン２１４Ｍ内の圧力を測定するように好ましくは適応される。
【０３２８】
好ましくは、加圧ガス供給装置２１４、特に圧縮器２１４Ｂ及び／又は制御装置２０７は、主ガスストレージ２１４Ｃ内の圧力を特に中間ガスストレージ２１４Ｉ内で必要とされる負荷及び／又は圧力とは独立に維持する。
【０３２９】
最も好ましくは、中間ガスストレージ２１４Ｉ内の圧力（それのみ）は、好ましくは、制御装置２０７、中間バルブ２９０、スロットルバルブ２９１、及び／又は作動バルブ２９２〜２９４を用いて、及び／又は所要負荷及び／又は作動／停止及び／又は使用される装置１１２、１１３、及び／又は２０５Ｂに従って制御／適応される。
【０３３０】
主ガスストレージ２１４Ｃは、好ましくは、圧縮器２１４Ｂの下流、及び／又は主バルブ２８９、中間バルブ２９０、中間ガスストレージ２１４Ｉ、及び／又は作動バルブ２９２〜２９４の上流に流体的に配置される。
【０３３１】
主ガスストレージ２１４Ｃは、入口ガスストレージ２１４Ｇ及び／又は中間ガスストレージ２１４Ｉよりも好ましくは大きく、及び／又は２０ｍｌよりも大きく又は３０ｍｌ、特に５０ｍｌよりも大きく又は８０ｍｌ、及び／又は５００ｍｌよりも小さく又は３００ｍｌ、特に２００ｍｌよりも小さく又は１５０ｍｌの容積又は充填容量を含む。
【０３３２】
最も好ましくは、主ガスストレージ２１４Ｃは、１００ｍｌの容積又は充填容量を含む。
【０３３３】
排出バルブ２８８は、主ガスストレージ２１４Ｃの直ぐ下流に好ましくは配置される。
【０３３４】
排出バルブ２８８は、最も好ましくは、開けられた時に主ガスストレージ２１４Ｃ内の圧力を特に雰囲気圧まで低減するように好ましくは適応される。
【０３３５】
排出バルブ２８８は、特に主ガスストレージ２１４Ｃ内の圧力を低減するために、割り当てられた／関連の出口サイレンサ２１４Ｋを主ガスストレージ２１４Ｃに／から流体的に接続／切断するように好ましくは適応される。
【０３３６】
主バルブ２８９は、好ましくは、一方を主ガスストレージ２１４Ｃとし、他方を中間バルブ２９０及び／又は第３の作動バルブ２９４とする両方の間に流体的に配置される。
【０３３７】
中間バルブ２９０は、主ガスストレージ２１４Ｃを中間バルブ２９０、スロットルバルブ２９１、中間ガスストレージ２１４Ｉ、第１の作動バルブ２９２、第２の作動バルブ２９３、及び／又は第３の作動バルブ２９４に／から流体的に接続／切断するように好ましくは適応される。
【０３３８】
中間ガスストレージ２１４Ｉは、主ガスストレージ２１４Ｃ、圧縮器２１４Ｂ、入口ガスストレージ２１４Ｇ、入口サイレンサ２１４Ｆ、フィルタ２１４Ｅ、及び／又は入口２１４Ｄの下流に好ましくは配置される。
【０３３９】
中間ガスストレージ２１４Ｉは、主ガスストレージ２１４Ｃ及び／又は入口ガスストレージ２１４Ｇよりも好ましくは小さい。
【０３４０】
好ましくは、中間ガスストレージ２１４Ｉは、１ｍｌよりも大きく又は２ｍｌ、特に３ｍｌよりも大きく又は４ｍｌ、及び／又はよりも小さく２０ｍｌ又は１５ｍｌ、特に１０ｍｌよりも小さく又は８ｍｌの容積又は充填容量を含む。
【０３４１】
最も好ましくは、中間ガスストレージ２１４Ｉは、５ｍｌの容積又は充填容量を含む。
【０３４２】
中間圧力センサ２１４Ｊは、中間ガスストレージ２１４Ｉ内及び／又は中間ガスストレージ２１４Ｉと作動バルブ２９２〜２９４の間の空気圧ライン２１４Ｍ内の圧力を測定するように好ましくは適応される。
【０３４３】
中間ガスストレージ２１４Ｉ内の圧力は、主ガスストレージ２１４Ｃ内の圧力よりも好ましくは低い。
【０３４４】
好ましくは、中間ガスストレージ２１４Ｉ内の圧力は、１００ｋＰａよりも高く、特に１２０ｋＰａよりも高く、及び／又は２００ｋＰａよりも低く、特に１９０ｋＰａよりも低い。
【０３４５】
中間ガスストレージ２１４Ｉは、圧縮されたガス、特に空気を好ましくは上述の圧力で格納するように好ましくは適応される。
【０３４６】
最も好ましくは、中間ガスストレージ２１４Ｉ内の圧力は、１００ｋＰａ及び２００ｋＰａの範囲内で、及び／又は（所要）負荷及び／又は作動／停止、使用、加圧、及び／又は加圧空気供給される装置１１２、１１３、及び／又は２０５Ｂに依存して変更される。
【０３４７】
中間ガスストレージ２１４Ｉ内の圧力は、中間バルブ２９０を用いて、特に中間バルブ２９０を開けること及び／又は主ガスストレージ２１４Ｃを中間ガスストレージ２１４Ｉに流体的に接続することによって好ましくは増大される。
【０３４８】
中間バルブ２９０は、主ガスストレージ２１４Ｃを中間ガスストレージ２１４Ｉに／から流体的に接続／切断するように好ましくは適応される。
【０３４９】
中間バルブ２９０は、特に中間ガスストレージ２１４Ｉ内の圧力を増大させるために主ガスストレージ２１４Ｃを中間ガスストレージ２１４Ｉにそしてそこから流体的に接続及び流体的に切断するように特に適応される。
【０３５０】
中間バルブ２９０は、好ましくは、主ガスストレージ２１４Ｃと中間ガスストレージ２１４Ｉの間に流体的に配置される。特に、中間バルブ２９０は、主ガスストレージ２１４Ｃ及び／又は主バルブ２８９の下流、及び／又はスロットルバルブ２９１及び／又は中間ガスストレージ２１４Ｉの上流に配置される。
【０３５１】
以下でスロットルバルブ２９１と呼ぶ、スロットル又はスロットルバルブ２９１は、中間ガスストレージ２１４Ｉの好ましくは（直ぐ）下流に配置され、及び／又は中間ガスストレージ２１４Ｉへの流れ及び／又はその中の圧力を調整するように適応される。
【０３５２】
好ましくは、スロットルバルブ２９１は、流量制御バルブ及び／又は圧力低減バルブとして具現化される。
【０３５３】
スロットルバルブ２９１は、局所的に流れ面積を低減するように、及び／又は供給圧力及び／又は圧縮器２１４Ｂ及び／又は主ガスストレージ２１４Ｃによって供給される圧力を特にターゲット圧力及び／又は中間ガスストレージ２１４Ｉ内の圧力まで低減するように好ましくは適応される。
【０３５４】
好ましくは、スロットルバルブ２９１は、局所的に流れ抵抗を増大させるように適応される。
【０３５５】
特に、スロットルバルブ２９１は、好ましくは、中間ガスストレージ２１４Ｉに供給を行う空気圧ライン２１４Ｍ内の流れ面積の局所低減器として具現化される。
【０３５６】
任意的に、スロットルバルブ２９１は、特に制御装置２０７を用いて制御することができる。このようにして、スロットルバルブ２９１によって与えられる流れ面積を変更することができる。
【０３５７】
しかし、スロットルバルブ２９１は、流れ面積の一定及び／又は変更不能な（局所）低減器として具現化することができる。
【０３５８】
中間ガスストレージ２１４Ｉ内の圧力は、中間ガスストレージ２１４Ｉを加圧ガス供給装置２１４の出口及び／又は出口サイレンサ２１４Ｋに流体的に接続することにより、及び／又は第１の作動バルブ２９２及び／又は第２の作動バルブ２９３を用いて好ましくは低減される。
【０３５９】
特に、第１の作動バルブ２９２及び／又は第２の作動バルブ２９３は、中間ガスストレージ２１４Ｉを加圧ガス供給装置２１４の出口及び／又は出口サイレンサ２１４Ｋに流体的に接続するように適応される。
【０３６０】
従って、第１の作動バルブ２９２及び／又は第２の作動バルブ２９３は、排出バルブとして好ましくは作用する及び／又は好ましくは使用される。しかし、分析器２００、特に加圧ガス供給装置２１４が中間ガスストレージ２１４Ｉに対する追加の排出バルブを含むことも可能である。
【０３６１】
作動バルブ２９２、２９３は、中間ガスストレージ２１４Ｉの（直ぐ）下流に好ましくは配置される。
【０３６２】
第１の作動バルブ２９２は、好ましくは、中間ガスストレージ２１４Ｉの特に直ぐ下流に流体的に配置される。
【０３６３】
第１の作動バルブ２９２は、少なくとも１つの装置１１２、１１３、２０５Ｂ、特にポンプ装置１１２を中間ガスストレージ２１４Ｉに／から流体的に接続／切断するように好ましくは適応される。
【０３６４】
第１の作動バルブ２９２は、少なくとも１つの装置１１２、１１３、２０５Ｂ、特にポンプ装置１１２を中間ガスストレージ２１４Ｉにそしてそれから選択的に流体的に接続及び流体的に切断するように特に適応される。
【０３６５】
言い換えれば、好ましくは、第１の作動バルブ２９２は、ポンプ装置１１２と／に関連付けられる／割り当てられる。
【０３６６】
第２の作動バルブ２９３は、好ましくは、第１の作動バルブ２９２及び／又は中間ガスストレージ２１４Ｉの下流に流体的に配置される。
【０３６７】
第２の作動バルブ２９３は、少なくとも１つの装置１１２、１１３、２０５Ｂ、特にセンサ装置１１３を中間ガスストレージ２１４Ｉに／から流体的に接続／切断するように好ましくは適応される。
【０３６８】
第２の作動バルブ２９３は、少なくとも１つの装置１１２、１１３、２０５Ｂ、特にセンサ装置１１３を中間ガスストレージ２１４Ｉにそしてそこから選択的に流体的に接続及び流体的に切断するように特に適応される。
【０３６９】
言い換えれば、好ましくは、第２の作動バルブ２９３は、センサ装置１１３と／に関連付けられる／割り当てられる。
【０３７０】
この実施形態では、作動バルブ２９２、２９３は、好ましくは、直列に配置され、好ましくは、第２の作動バルブ２９３は、第１の作動バルブ２９２の（直ぐ）下流に配置され、及び／又は第１の作動バルブ２９２は、中間ガスストレージ２１４Ｉと第２の作動バルブ２９３の間に流体的に配置される。しかし、特に、第１の作動バルブ２９２と第２の作動バルブ２９３の両方が中間ガスストレージ２１４Ｉの直ぐ下流に配置されるように作動バルブ２９２、２９３を並列に配置することも可能である。
【０３７１】
任意的な第３の作動バルブ２９４は、少なくとも１つの装置１１２、１１３、２０５Ｂ、特にアクチュエータ装置２０５Ｂに好ましくは割り当てられる。
【０３７２】
第３の作動バルブ２９４は、少なくとも１つの装置１１２、１１３、２０５Ｂ、特にアクチュエータ装置２０５Ｂを主ガスストレージ２１４Ｃに／から流体的に接続／切断するように好ましくは適応される。
【０３７３】
第３の作動バルブ２９４は、少なくとも１つの装置１１２、１１３、２０５Ｂ、特にアクチュエータ装置２０５Ｂを主ガスストレージ２１４Ｃにそしてそれから選択的に流体的に接続及び流体的に切断するように特に適応される。
【０３７４】
好ましくは、第３の作動バルブ２９４は、アクチュエータ装置２０５Ｂの上流及び／又は主バルブ２８９の（直ぐ）下流に流体的に配置される。
【０３７５】
第３の作動バルブ２９４は、好ましくは、中間バルブ２９０、スロットルバルブ２９１、中間ガスストレージ２１４Ｉ、第１の作動バルブ２９２、及び／又は第２の作動バルブ２９３と並列に流体的に配置される。
【０３７６】
従って、第１の作動バルブ２９２及び第２の作動バルブ２９３とは対照的に、第３の作動バルブ２９４には、好ましくは、中間ガスストレージ２１４Ｉによってではなく、（直接的に）主ガスストレージ２１４Ｃによって空気が供給される。
【０３７７】
アクチュエータ装置２０５Ｂは、ポンプ装置１１２及び／又はセンサ装置１１３に必要とされる圧力よりも高い圧力で／を用いて好ましくは動力供給／供給が行われる。
【０３７８】
特に、アクチュエータ装置２０５Ｂは、主ガスストレージ２１４Ｃ内の圧力に対応する圧力で動力供給を受ける。
【０３７９】
ポンプ装置１１２及び／又はセンサ装置１１３は、中間ガスストレージ２１４Ｉ内の圧力に対応する圧力で好ましくは動力供給を受ける。
【０３８０】
分析器２００、特に加圧ガス供給装置２１４は、複数の第３の作動バルブ２９４及び／又はアクチュエータ装置２０５Ｂを好ましくは含む。
【０３８１】
この実施形態では、分析器２００、特に加圧ガス供給装置２１４は、３２個の第３の作動バルブ２９４及び３２個の（関連）アクチュエータ装置２０５Ｂを含む。
【０３８２】
特に、図９には３２個のアクチュエータ装置２０５Ｂを示し、そのうちの一部しかラベル付けしていない。図１０は、一例として１つのアクチュエータ装置２０５Ｂをその関連の作動バルブ２９４と共に示している。
【０３８３】
好ましくは、それぞれ１つの作動バルブ２９４は、対応するアクチュエータ装置２０５Ｂに関連付けられる／割り当てられる。
【０３８４】
特に、それぞれ１つの第３の作動バルブ２９４と１つのアクチュエータ装置２０５Ｂとは、流体的に直列に配置される及び／又は流体的に直列に接続される。
【０３８５】
第３の作動バルブ２９４は、好ましくは、流体的に互いに並列に配置される。
【０３８６】
アクチュエータ装置２０５Ｂは、好ましくは、流体的に互いに並列に配置される。
【０３８７】
この関連では、「並列」は、作動バルブ２９４及び／又はアクチュエータ装置２０５Ｂの互いの及び／又は主ガスストレージ２１４Ｃとの流体接続に関すると好ましくは理解される。しかし、構成要素は、分析器２００内で物理的に平行に配置する必要はない。
【０３８８】
全てのバルブ２８８〜２９４は、加圧ガス供給装置２１４の出口及び／又は出口サイレンサ２１４Ｋに好ましくは流体的に直接的又は間接的に接続される。
【０３８９】
好ましくは、排出バルブ２８８、主バルブ２８９、第２の作動バルブ２９３、及び／又は第３の作動バルブ２９４は、加圧ガス供給装置２１４の出口及び／又は出口サイレンサ２１４Ｋに直接に接続され、及び／又は出口及び／又は出口サイレンサ２１４Ｋに関連付けられる／割り当てられ、及び／又はこれらの（直ぐ）上流に配置される。しかし、特に、一部又は全てのバルブ２８８〜２９４が（共通の）出口サイレンサ２１４Ｋと／に関連付けられる／割り当てられる他のソリューションも同様に可能である。
【０３９０】
出口サイレンサ２１４Ｋは、最も好ましくは、加圧ガス供給装置２１４の出口内の分析器２００、特に加圧ガス供給装置２１４のノイズを低減するように好ましくは適応される。
【０３９１】
出口サイレンサ２１４Ｋは、加圧ガス供給装置２１４の出口内に好ましくは配置される及び／又は加圧ガス供給装置２１４の出口を（各々が）含む又は形成する。
【０３９２】
上述のように、分析器２００は、最も好ましくは、接続ユニット２３１及び／又は接続要素２１４Ａ、２１４Ｌを用いてカートリッジ１００に好ましくは空圧的に接続されるか又は空圧的に接続可能である。
【０３９３】
好ましくは、第１の接続要素２１４Ａは、図３に示すカートリッジ１００の第１の接続部１２９に関連付けられ、第２の接続要素２１４Ｌは、カートリッジ１００の異なる又は第２の接続部１２９に関連付けられる。
【０３９４】
接続要素２１４Ａ、２１４Ｌは、カートリッジ１００を分析器２００、特にその接続ユニット２３１及び／又は加圧ガス供給装置２１４に空圧的に接続するように好ましくは適応される。
【０３９５】
最も好ましくは、接続要素２１４Ａ、２１４Ｌは、剛性チューブ及び／又は中空シリンダとして具現化される及び／又は加圧ガス供給装置２１４の出口を含む又は形成する。
【０３９６】
好ましくは、図９で最も明確に見られるように、接続要素２１４Ａ、２１４Ｌは、接続ユニット２３１、特にその主本体２３１Ｄによって／内に保持／支持される。
【０３９７】
好ましくは、接続要素２１４Ａ、２１４Ｌは、接続ユニット２３１、特にその主本体２３１Ｄを通ってカートリッジ１００に対する特に接続ユニット２３１の接触面から及び／又はカートリッジ１００に向けて突出する。
【０３９８】
ポンプ装置１１２は、分析器２００、特に加圧ガス供給装置２１４、最も好ましくは中間ガスストレージ２１４Ｉに第１の接続要素２１４Ａを用いて好ましくは空圧的に接続される。
【０３９９】
センサ装置１１３は、分析器２００、特に加圧ガス供給装置２１４、最も好ましくは中間ガスストレージ２１４Ｉに第２の接続要素２１４Ｌを用いて好ましくは空圧的に接続される。
【０４００】
以下では、排出バルブ２８８、主バルブ２８９、中間バルブ２９０、スロットルバルブ２９１、第１の作動バルブ２９２、第２の作動バルブ２９３、及び／又は第３の作動バルブ２９４の構成及び／又は機能を説明する。
【０４０１】
明示しない場合に、以下の説明は、排出バルブ２８８、主バルブ２８９、中間バルブ２９０、スロットルバルブ２９１、第１の作動バルブ２９２、第２の作動バルブ２９３、及び／又は第３の作動バルブ２９４に適用される。特に、「バルブ２８８〜２９４」という用語を使用する場合に、排出バルブ２８８、主バルブ２８９、中間バルブ２９０、スロットルバルブ２９１、第１の作動バルブ２９２、第２の作動バルブ２９３、及び／又は第３の作動バルブ２９４のうちの少なくとも１つ、好ましくはいくつか、又は全てを意味する。
【０４０２】
バルブ２８８〜２９４は、好ましくは有向制御バルブ、特に３方２位置（３Ｗ／２Ｐ又は３／２）有向制御バルブ及び／又はスイッチバルブとして具現化される。
【０４０３】
好ましくは、バルブ２８８〜２９４は、いくつかの特に２つの位置、特に初期／停止位置と終端／作動位置との間で切り換えを行うように、及び／又は特にバルブ本体を前後に及び／又は初期位置から最終位置に又はその逆に移動することによって複数のバルブポート及びそれに直接に接続された複数の空気圧ライン２１４Ｍの間で流体流れを変更するように適応される。
【０４０４】
好ましくは、バルブ２８８〜２９４は、いくつかの特に３つのポートを含み、好ましくは、これらのポートは、バルブ２８８〜２９４を作動又は停止すること、及び／又はバルブ位置を変更すること、特に、バルブ本体を前後に及び／又は初期位置から最終位置に又はその逆に移動することによって互いにそして互いにから選択的に流体的に接続及び流体的に切断される。
【０４０５】
図１０は、初期／停止／起動解除状態／位置にある及び／又は例えば作動／起動されていない時に通常はある状態／位置にあるバルブ２８８〜２９４を示している。
【０４０６】
バルブ２８８〜２９４の初期位置／状態は、好ましくは、例えば、関連の又は統合されたアクチュエータを用いて停止／起動解除された時のバルブ２８８〜２９４及び／又はそのバルブ本体の位置／状態である。
【０４０７】
好ましくは、バルブ２８８〜２９４及び／又はそのバルブ本体の初期位置は通常位置である。
【０４０８】
最も好ましくは、バルブ２８８〜２９４、特にそのバルブ本体は、起動解除後に及び／又は停止／起動解除された時に、特に、後で以下に説明する関連の又は統合された戻り機構に起因して初期位置に自動的に戻る。
【０４０９】
バルブ２８８〜２９４及び／又はそのバルブ本体の最終位置／状態は、好ましくは、関連の又は統合されたアクチュエータを用いて（完全に）作動／起動された時のバルブ２８８〜２９４及び／又はそのバルブ本体の位置／状態である。従って、バルブ２８８〜２９４の最終位置は、好ましくは、一時的な位置に過ぎない。
【０４１０】
好ましくは、バルブ２８８〜２９４及び／又はそのバルブ本体の位置は、バルブ２８８〜２９４を作動／起動又は停止／起動解除することによって変更することができる。
【０４１１】
好ましくは、バルブ２８８〜２９４及び／又はそのバルブ本体の初期位置及び／又は停止／起動解除位置は、バルブ２８８〜２９４及び／又はそのバルブ本体の最終位置及び／又は作動／起動位置までバルブ２８８〜２９４を作動／起動することによって変更することができる。
【０４１２】
従って、バルブ２８８〜２９４及び／又はそのバルブ本体の最終位置及び／又は作動／起動位置は、バルブ２８８〜２９４及び／又はそのバルブ本体の初期位置及び／又は停止／起動解除位置までバルブ２８８〜２９４を停止／起動解除することによって変更することができる。
【０４１３】
位置を変更することにより、バルブ２８８〜２９４のポート間の流体接続が変更される。例えば、初期位置では、バルブ２８８〜２９４の第１のポートと第２のポートが流体的に接続され、それに対して最終位置では、第１のポートと第２のポートが流体的に切断され、及び／又は第１のポート又は第２のポートがバルブ２８８〜２９４の第３のポートに流体的に接続される。
【０４１４】
位置変更中に、すなわち、初期位置から最終位置に又はその逆に切り換える時に、バルブ２８８〜２９４は、一時的に中間位置／状態にある。
【０４１５】
バルブ２８８〜２９４及び／又はそのバルブ本体の中間位置は、好ましくは、初期位置と最終位置の間、作動／起動された又は停止／起動解除された直後、及び／又は最終位置又は初期位置に到達する前のバルブ２８８〜２９４及び／又はそのバルブ本体の位置／状態である。
【０４１６】
中間位置では、バルブ２８８〜２９４の全てのポートを互いに流体的に接続又は流体的に切断することができる。
【０４１７】
バルブ２８８〜２９４は、後に説明するように、好ましくは、機械的、水圧的、電気的、及び／又は電気機械的に、最も好ましくは電磁的に作動／起動される。
【０４１８】
好ましくは、排出バルブ２８８は、通常は、停止／起動解除されている時及び／又はその初期位置では、割り当てられた／関連の出口サイレンサ２１４Ｋ及び／又は主ガスストレージ２１４Ｃへの出口に開いている及び／又は流体的に接続している。
【０４１９】
特に、排出バルブ２８８は、作動／起動されている時及び／又はその最終位置では、割り当てられた／関連の出口サイレンサ２１４Ｋ及び／又は出口を主ガスストレージ２１４Ｃから流体的に切断する。
【０４２０】
主バルブ２８９は、通常は、停止／起動解除されている時及び／又はその初期位置では、主ガスストレージ２１４Ｃを中間バルブ２９０、スロットルバルブ２９１、中間ガスストレージ２１４Ｉ、第１の作動バルブ２９２、第２の作動バルブ２９３、及び／又は第３の作動バルブ２９４から好ましくは流体的に切断する。
【０４２１】
主バルブ２８９は、通常は、停止／起動解除されている時及び／又はその初期位置では、加圧ガス供給装置２１４の出口及び／又は出口サイレンサ２１４Ｋを中間バルブ２９０、スロットルバルブ２９１、中間ガスストレージ２１４Ｉ、第１の作動バルブ２９２、第２の作動バルブ２９３、及び／又は第３の作動バルブ２９４に好ましくは流体的に接続する。
【０４２２】
主バルブ２８９は、作動／起動されている時及び／又はその最終位置では、主ガスストレージ２１４Ｃを中間バルブ２９０、スロットルバルブ２９１、中間ガスストレージ２１４Ｉ、第１の作動バルブ２９２、第２の作動バルブ２９３、及び／又は第３の作動バルブ２９４に好ましくは流体的に接続する。
【０４２３】
主バルブ２８９は、作動／起動されている時及び／又はその最終位置では、加圧ガス供給装置２１４の出口及び／又は出口サイレンサ２１４Ｋを中間バルブ２９０、スロットルバルブ２９１、中間ガスストレージ２１４Ｉ、第１の作動バルブ２９２、第２の作動バルブ２９３、及び／又は第３の作動バルブ２９４から好ましくは流体的に切断する。
【０４２４】
中間バルブ２９０は、通常は、停止／起動解除されている時及び／又はその初期位置では、主ガスストレージ２１４Ｃ及び／又は主バルブ２８９をスロットルバルブ２９１、中間ガスストレージ２１４Ｉ、第１の作動バルブ２９２、及び／又は第２の作動バルブ２９３から好ましくは流体的に切断する。
【０４２５】
中間バルブ２９０は、作動／起動されている時及び／又はその最終位置では、主ガスストレージ２１４Ｃ及び／又は主バルブ２８９をスロットルバルブ２９１、中間ガスストレージ２１４Ｉ、第１の作動バルブ２９２、及び／又は第２の作動バルブ２９３に好ましくは流体的に接続する。
【０４２６】
第１の作動バルブ２９２は、通常は、停止／起動解除されている時及び／又はその初期位置では、第１の接続要素２１４Ａ及び／又はポンプ装置１１２を主ガスストレージ２１４Ｃ、主バルブ２８９、中間バルブ２９０、スロットルバルブ２９１、及び／又は中間ガスストレージ２１４Ｉに好ましくは流体的に接続する。
【０４２７】
第１の作動バルブ２９２は、通常は、停止／起動解除されている時及び／又はその初期位置では、第２の接続要素２１４Ｌ、センサ装置１１３、及び／又は第２の作動バルブ２９３を主ガスストレージ２１４Ｃ、主バルブ２８９、中間バルブ２９０、スロットルバルブ２９１、及び／又は中間ガスストレージ２１４Ｉから好ましくは流体的に切断する。
【０４２８】
第１の作動バルブ２９２は、作動／起動されている時及び／又はその最終位置では、第１の接続要素２１４Ａ及び／又はポンプ装置１１２を主ガスストレージ２１４Ｃ、主バルブ２８９、中間バルブ２９０、スロットルバルブ２９１、及び／又は中間ガスストレージ２１４Ｉから好ましくは流体的に切断する。
【０４２９】
第１の作動バルブ２９２は、作動／起動されている時及び／又はその最終位置では、第２の接続要素２１４Ｌ、センサ装置１１３、及び／又は第２の作動バルブ２９３を主ガスストレージ２１４Ｃ、主バルブ２８９、中間バルブ２９０、スロットルバルブ２９１、及び／又は中間ガスストレージ２１４Ｉに好ましくは流体的に接続する。
【０４３０】
第２の作動バルブ２９３は、通常は、停止／起動解除されている時及び／又はその初期位置では、加圧ガス供給装置２１４の出口及び／又は関連出口サイレンサ２１４Ｋを主ガスストレージ２１４Ｃ、主バルブ２８９、中間バルブ２９０、スロットルバルブ２９１、中間ガスストレージ２１４Ｉ、及び／又は第１の作動バルブ２９２に好ましくは流体的に接続する。
【０４３１】
第２の作動バルブ２９３は、通常は、停止／起動解除されている時及び／又はその初期位置では、第２の接続要素２１４Ｌ及び／又はセンサ装置１１３を主ガスストレージ２１４Ｃ、主バルブ２８９、中間バルブ２９０、スロットルバルブ２９１、中間ガスストレージ２１４Ｉ、及び／又は第１の作動バルブ２９２から好ましくは流体的に切断する。
【０４３２】
第２の作動バルブ２９３は、作動／起動されている時及び／又はその最終位置では、加圧ガス供給装置２１４の出口及び／又は関連出口サイレンサ２１４Ｋを主ガスストレージ２１４Ｃ、主バルブ２８９、中間バルブ２９０、スロットルバルブ２９１、中間ガスストレージ２１４Ｉ、及び／又は第１の作動バルブ２９２から好ましくは流体的に切断する。
【０４３３】
第２の作動バルブ２９３は、作動／起動されている時及び／又はその最終位置では、第２の接続要素２１４Ｌ及び／又はセンサ装置１１３を主ガスストレージ２１４Ｃ、主バルブ２８９、中間バルブ２９０、スロットルバルブ２９１、中間ガスストレージ２１４Ｉ、及び／又は第１の作動バルブ２９２に好ましくは流体的に接続する。
【０４３４】
特に、サンプルＰの１又は複数の検体の検出中にポンプドライブ２０２及び／又はカートリッジ１００を通る流体流れが一時的に停止されるので、センサ装置１１３とポンプ装置１１２は、交互に及び／又は非同時に作動／加圧される、ガス供給を受ける、及び／又は中間ガスストレージ２１４Ｉに流体的に接続されることが好ましい。
【０４３５】
言い換えれば、好ましくは、センサ装置１１３又はポンプ装置１１２のいずれかは、作動／加圧され、ガスを供給され、及び／又は中間ガスストレージ２１４Ｉに流体的に接続される。
【０４３６】
しかし、特に第１の作動バルブ２９２と第２の作動バルブ２９３が流体的に直列に配置される時にセンサ装置１１３とポンプ装置１１２を同時に作動／加圧することも可能である。
【０４３７】
第３の作動バルブ２９４は、通常は、停止／起動解除されている時及び／又はその初期位置では、アクチュエータ装置２０５Ｂを主ガスストレージ２１４Ｃ及び／又は主バルブ２８９に好ましくは流体的に接続する。
【０４３８】
第３の作動バルブ２９２は、通常は、停止／起動解除されている時及び／又はその初期位置では、加圧ガス供給装置２１４の関連出口及び／又は関連出口サイレンサ２１４Ｋを主ガスストレージ２１４Ｃ及び／又は主バルブ２８９から好ましくは流体的に切断する。
【０４３９】
第３の作動バルブ２９４は、作動／起動されている時及び／又はその最終位置では、アクチュエータ装置２０５Ｂを主ガスストレージ２１４Ｃ及び／又は主バルブ２８９から好ましくは流体的に切断する。
【０４４０】
第３の作動バルブ２９２は、作動／起動されている時及び／又はその最終位置では、加圧ガス供給装置２１４の関連出口及び／又は関連出口サイレンサ２１４Ｋを主ガスストレージ２１４Ｃ及び／又は主バルブ２８９に好ましくは流体的に接続する。
【０４４１】
上述のように、バルブ２８８〜２９４は、好ましくは、機械的、水圧的、電気的、及び／又は電気機械的に、最も好ましくは電磁的に作動／起動される。
【０４４２】
好ましくは、バルブ２８８〜２９４は（各々が）、好ましくは、統合されたバルブアクチュエータ２８８Ａ〜２９４Ａを含み、好ましくは、これらの関連のバルブアクチュエータ２８８Ａ〜２９４Ａは、バルブ２８８〜２９４、特にバルブ本体を作動する、特に選択的に起動又は起動解除するように、その位置を変更するように、及び／又はバルブ２８８〜２９４を切り換える、すなわち、起動解除／停止位置から起動／作動位置に又はその逆に切り換えるように適応される。
【０４４３】
図１０には、スロットルバルブ２９１のバルブアクチュエータを示していない。しかし、スロットルバルブ２９１のバルブアクチュエータは、他のバルブ２８８〜２９４のバルブアクチュエータ２８８Ａ〜２９４Ａのうちの１つと同一又は類似とすることができる。
【０４４４】
この実施形態では、バルブ２８８〜２９４は、電気的に、特に電磁的に／ソレノイド的に作動され、及び／又はバルブアクチュエータ２８８Ａ〜２９４Ａとしてソレノイドを含む。
【０４４５】
従って、バルブ２８８〜２９４は、好ましくは、ソレノイドバルブとして具現化される。
【０４４６】
好ましくは、バルブアクチュエータ２８８Ａ〜２９４Ａを起動／動力供給／活性化することにより、バルブ２８８〜２９４は作動／起動され、及び／又はバルブ２８８〜２９４及び／又はそのバルブ本体の位置は、特に初期位置及び／又は起動解除位置から最終位置及び／又は起動位置に変更される。
【０４４７】
好ましくは、バルブアクチュエータ２８８Ａ〜２９４Ａを起動解除／非活性化することにより、バルブ２８８〜２９４は停止／起動解除され、及び／又はバルブ２８８〜２９４及び／又はそのバルブ本体の位置は、特に最終位置及び／又は起動位置から初期位置及び／又は起動解除位置に変更される。
【０４４８】
好ましくは、バルブ２８８〜２９４及び／又はそのバルブ本体は、自動的にその初期位置／状態に、起動解除／停止された時に、及び／又はバルブアクチュエータ２８８Ａ〜２９４Ａが起動解除／非活性化された時に戻る。
【０４４９】
好ましくは、バルブ２８８〜２９４は（各々が）、好ましくは、統合された戻り機構２８８Ｂ〜２９４Ｂを含み、好ましくは、これらの戻り機構２８８Ｂ〜２９４Ｂは、少なくとも起動解除／停止された時、及び／又はバルブアクチュエータ２８８Ａ〜２９４Ａが起動解除／非活性化された時に、関連のバルブ２８８〜２９４、特にそのバルブ本体を初期位置に移動するように適応される。
【０４５０】
最も好ましくは、バルブ２８８〜２９４及び／又はそのバルブ本体は、初期位置の中に予圧される。
【０４５１】
好ましくは、バルブ２８８〜２９４は（各々が）、戻り機構２８８Ｂ〜２９４Ｂとして戻りバネを含む。しかし、他の構成ソリューションも同様に可能である。
【０４５２】
破線に示すように、バルブ２８８〜２９４、特にバルブアクチュエータ２８８Ａ〜２９４Ａは、制御装置２０７に好ましくは電気的に接続される。
【０４５３】
好ましくは、分析器２００、特にその制御装置２０７は、特に必要に応じて、任意的に、選択的に、及び／又は加圧ガスが検査の要性に応じてアクチュエータ２０５Ｂ、ポンプ装置１１２、及び／又はセンサ装置１１３に供給されるように、バルブ２８８〜２９４を起動／起動解除し、バルブ２８８〜２９４の位置を変更し、及び／又はバルブアクチュエータ２８８Ａ〜２９４Ａを活性化／非活性化するように適応される。
【０４５４】
加圧ガス供給装置２１４、特にその圧縮器２１４Ｂは、周囲から特に入口２１４Ｄ、フィルタ２１４Ｅ、入口サイレンサ２１４Ｆ、及び／又は入口ガスストレージ２１４Ｇを通して空気を好ましくは引き込む。
【０４５５】
加圧ガス供給装置２１４、特に圧縮器２１４Ｂは、最も好ましくは、主ガスストレージ２１４Ｃ内の空気の圧力を好ましくは少なくとも本質的に２００ｋＰａまで増大させる。
【０４５６】
主ガスストレージ２１４Ｃの圧力は、特に制御装置２０７、圧縮器２１４Ｂ、及び／又は主圧力センサ２１４Ｈを用いて好ましくは制御される。
【０４５７】
特に主バルブ２８９を起動することにより、主ストレージ２１４Ｃは、中間バルブ２９０及び／又は第３の作動バルブ２９４に流体的に接続される。
【０４５８】
中間ガスストレージ２１４Ｉ内の圧力は、制御装置２０７、中間バルブ２９０、スロットルバルブ２９１、中間圧力センサ２１４Ｊ、第１の作動バルブ２９２、及び／又は第２の作動バルブ２９３を用いて好ましくは制御される。
【０４５９】
特に中間ガスストレージ２１４Ｉ内の圧力を増大させるために、中間バルブ２９０が起動され、及び／又は主ガスストレージ２１４Ｃをスロットルバルブ２９１及び／又は中間ガスストレージ２１４Ｉに流体的に接続し、好ましくは、それと共に排出バルブ２８８及び主バルブ２８９も起動される。
【０４６０】
中間ガスストレージ２１４Ｉ内の圧力は、中間圧力センサ２１４Ｊを用いて好ましくは測定される。
【０４６１】
中間ガスストレージ２１４Ｉ内の圧力は、第１の作動バルブ２９２及び／又は第２の作動バルブ２９３を用いて好ましくは低減される。
【０４６２】
好ましくは、ポンプ装置１１２及び／又はセンサ装置１１３には、加圧ガス供給装置２１４を用いて一定圧力が供給される。
【０４６３】
好ましくは、中間ガスストレージ２１４Ｉ内の圧力は、好ましくは、制御装置２０７、中間バルブ２９０、スロットルバルブ２９１、第１の作動バルブ２９２、及び／又は第２の作動バルブ２９３を用いて、ポンプ装置１１２に対しては（第１の）圧力レベルに及び／又はセンサ装置１１３に対しては（第２の）圧力レベルに維持される／保たれる。
【０４６４】
好ましくは、中間ガスストレージ２１４Ｉ内の圧力が予め定められた／所要の値よりも低く下がる時に、中間バルブ２９０が起動され、及び／又は特に中間バルブ２９０を起動することによって中間ガスストレージ２１４Ｉが主ガスストレージ２１４Ｃに流体的に接続される。このようにして、空気が主ガスストレージ２１４Ｃから中間ガスストレージ２１４Ｉに流れることができる。
【０４６５】
好ましくは、中間ガスストレージ２１４内の圧力が予め定められた／所要の値を満足する及び／又はそれよりも高い時に、中間バルブ２９０は、好ましくは起動解除され、及び／又は特に中間バルブ２９０を起動解除することによって中間ガスストレージ２１４Ｉが主ガスストレージ２１４Ｃから流体的に切断される。
【０４６６】
言い換えれば、中間ガスストレージ２１４Ｉ内の圧力を維持するために、中間バルブ２９０は、好ましくは、選択的に起動又は起動解除される。
【０４６７】
好ましくは、ポンプ装置１１２の作動に必要とされる（ターゲット）圧力は、センサ装置１１３の作動に必要とされる（ターゲット）圧力とは異なる。
【０４６８】
好ましくは、ポンプ装置１１２に対する特にポンプ装置１１２の作動のための（第１の）圧力レベル及び／又は（ターゲット）圧力は、センサ装置１１３に対する特にセンサ装置１１３の作動のための（第２の）圧力レベル及び／又は（ターゲット）圧力よりも高い。
【０４６９】
好ましくは、中間ガスストレージ２１４Ｉ内の圧力は、負荷及び／又は起動される装置１１２、１１３に従って適応／変更される。
【０４７０】
ポンプ装置１１２の作動からセンサ装置１１３の作動に変更する時に、中間ガスストレージ２１４Ｉ内の圧力は、特にセンサ装置１１３に対する（第２の）圧力レベル及び／又は（ターゲット）圧力まで好ましくは低減される。
【０４７１】
センサ装置１１３の作動からポンプ装置１１２の作動に変更する時に、中間ガスストレージ２１４Ｉ内の圧力は、特にポンプ装置１１２に対する（第１の）圧力レベル及び／又は（ターゲット）圧力まで好ましくは増大される。
【０４７２】
好ましくは、中間ガスストレージ２１４Ｉ内の圧力は、上述のように、特に中間バルブ２９０、主バルブ２８９、及び／又は排出バルブ２８８を起動することによって中間ガスストレージ２１４Ｉを主ガスストレージ２１４Ｃ及び／又は圧縮器２１４Ｂに流体的に接続することによって増大される。
【０４７３】
好ましくは、中間ガスストレージ２１４Ｉ内の圧力は、特に第１の作動バルブ２９２及び／又は第２の作動バルブ２９３を用いて中間ガスストレージ２１４Ｉを加圧ガス供給装置２１４の出口及び／又は出口サイレンサ２１４Ｋに流体的に接続することによって低減される。
【０４７４】
この実施形態では、圧力低減は、第１の作動バルブ２９２を起動し、それによって中間ガスストレージ２１４Ｉを加圧ガス供給装置２１４の出口及び／又は関連出口サイレンサ２１４Ｋに流体的に接続することによって達成することができる。
【０４７５】
第２の作動バルブ２９３は、上述のように、停止／起動解除された時に加圧ガス供給装置２１４の出口及び／又は関連出口サイレンサ２１４Ｋに好ましくは流体的に接続され、及び／又は第１の作動バルブ２９２を加圧ガス供給装置２１４の出口及び／又は関連出口サイレンサ２１４Ｋに流体的に接続する。しかし、他のソリューションも同様に可能である。
【０４７６】
中間ガスストレージ２１４Ｉ内の圧力がセンサ装置１１３の作動に必要とされる圧力に達すると、中間ガスストレージ２１４Ｉは、特に第２の接続要素２１４Ｌ及び／又はセンサ装置１１３を中間ガスストレージ２１４Ｉに好ましくは流体的に接続する第２の作動バルブ２９３及び／又は第１の作動バルブ２９２を用いて、第２の接続要素２１４Ｌ及び／又はセンサ装置１１３に好ましくは流体的に接続される。
【０４７７】
従って、制御装置２０７、中間バルブ２９０、スロットルバルブ２９１、第１の作動バルブ２９２、及び／又は第２の作動バルブ２９３は、ポンプ装置１１２及び／又はセンサ装置１１３の作動のための中間ガスストレージ２１４Ｉ内の予め定められた圧力を維持するために他の装置が起動される及び／又はそれに圧縮空気が供給される時に、例えば、センサ装置１１３の代わりにポンプ装置１１２を作動される／起動されることになる時又はその逆である時に中間ガスストレージ２１４Ｉ内の圧力を適応／変更するのに好ましくは使用される。
【０４７８】
好ましい方法により、ポンプ装置１１２及び／又はセンサ装置１１３は、中間ガスストレージ２１４Ｉ内の圧力が所要／ターゲット圧力に変更される特に増大される前に中間ガスストレージ２１４Ｉに既に流体的に接続されている。
【０４７９】
好ましくは、ポンプ装置１１２及び／又はセンサ装置１１３を中間ガスストレージ２１４Ｉに流体的に接続する前に、中間ガスストレージ２１４Ｉ内の圧力は、特に第１の作動バルブ２９２及び／又は第２の作動バルブ２９３を用いて予め定められた圧力、例えば、周囲圧力まで任意的に低減される。
【０４８０】
その後に、特に第１の作動バルブ２９２及び／又は第２の作動バルブ２９３を起動又は起動解除することによってポンプ装置１１２及び／又はセンサ装置１１３が中間ガスストレージ２１４Ｉに好ましくは流体的に接続される。
【０４８１】
その後に、特に中間バルブ２９０を用いて、最も好ましくは、中間バルブ２９０及び／又はスロットルバルブ２９１を起動することにより、中間ガスストレージ２１４Ｉ内の圧力が特にターゲット圧力に達するまで好ましくは増大される。
【０４８２】
その後に、中間バルブ２９０が起動解除され、及び／又は中間ガスストレージ２１４Ｉが、特に中間バルブ２９０を起動解除することによって主ガスストレージ２１４Ｃから流体的に切断される。
【０４８３】
このようにして、中間ガスストレージ２１４Ｉ内の圧力増大は、ポンプ装置１１２及び／又はセンサ装置１１３内の圧力増大に対応する。
【０４８４】
言い換えれば、ポンプ装置１１２及び／又はセンサ装置１１３は、好ましくは、突然及び／又は急激にではなく、徐々に及び／又は中間ガスストレージ２１４Ｉと同時に最も好ましくは線形方式でターゲット圧力によって加圧及び／又は動力供給される。
【０４８５】
上述のように、バルブ２８８〜２９４、特に中間バルブ２９０、第１の作動バルブ２９２、第２の作動バルブ２９３、及び／又は第３の作動バルブ２９４は、好ましくは、ソレノイドバルブとして具現化され、及び／又はバルブアクチュエータ２８８Ａ〜２９４Ａとしての電磁石を含む。
【０４８６】
バルブ２８８〜２９４、特にバルブアクチュエータ２８８Ａ〜２９４Ａは、電気エネルギで好ましくは作動される。
【０４８７】
最も好ましくは、バルブ２８８〜２９４、特にバルブアクチュエータ２８８Ａ〜２９４Ａは、起動されている時に及び／又はバルブ位置を切り換えるために磁場を発生させる。
【０４８８】
好ましくは、バルブ２８８〜２９４は、コア／プランジャ及び／又はバルブ本体を含み、好ましくは、コア／プランジャは、バルブ本体を含む又は形成する及び／又はそれに（剛的に）接続される。
【０４８９】
好ましくは、コア／プランジャ及び／又はバルブ本体は、特に、バルブ位置を最も好ましくは初期位置から最終位置に又はその逆に及び／又は前後に変更するために、バルブアクチュエータ２８８Ａ〜２９４Ａに対して及び／又はバルブ２８８〜２９４のハウジング内で（軸線方向に）移動可能である。
【０４９０】
特に、コア／プランジャ及び／又はバルブ本体は、接続を流体的に切り換えるために、及び／又はバルブ２８８〜２９４の少なくとも２つのポートを互いに又は互いから選択的にそれぞれ流体的に接続又は流体的に切断するために初期位置から最終位置に又はその逆に及び／又は前後に移動可能である。
【０４９１】
好ましくは、バルブアクチュエータ２８８Ａ〜２９４Ａが電気エネルギで起動／活性化／動力供給されると、磁場が発生し、コア／プランジャ及び／又はバルブ本体は、好ましくは、バルブ位置を変更するために及び／又は戻り機構２８８Ｂ〜２９４Ｂに対抗してこの磁場を用いて移動される。
【０４９２】
バルブ２８８〜２９４の初期位置では、コア／プランジャ及び／又はバルブ本体は、好ましくは、第１の／初期位置にあり、バルブ２８８〜２９４の２つのポートを流体的に接続し、及び／又はバルブ２８８〜２９４の２つのポートを流体的に切断する。
【０４９３】
好ましくは、戻り機構２８８Ｂ〜２９４Ｂを用いてコア／プランジャ及び／又はバルブ本体に対して作用される力は、初期位置で最小にされる。
【０４９４】
好ましくは、コア／プランジャ及び／又はバルブ本体は、特にバルブアクチュエータ２８８Ａ〜２９４Ａを用いて初期位置から最終位置に移動することができる。
【０４９５】
バルブ２８８〜２９４の最終位置では、コア／プランジャ及び／又はバルブ本体は、好ましくは第２の／最終位置にあり、及び／又はバルブ２８８〜２９４の初期位置でのものとは異なるバルブ２８８〜２９４のポートを流体的に接続又は流体的に切断する。
【０４９６】
好ましくは、戻り機構２８８Ｂ〜２９４Ｂを用いてコア／プランジャ及び／又はバルブ本体に対して作用される力は、最終位置で最大にされる。
【０４９７】
図１１は、起動／活性化されている時にバルブ２８８〜２９４、特にバルブアクチュエータ２８８Ａ〜２９４Ａによって使用／消費される電流Ｉを時間の関数として概略図に示している。
【０４９８】
図１１は、完全な切り換え作動、すなわち、バルブ２８８〜２９４又はそのバルブ本体が完全に切り換えられる及び／又は初期位置から最終位置に移動される時の切り換え作動を示している。しかし、本発明により、以下で説明するように、切り換え作動は、バルブ２８８〜２９４又はそのバルブ本体が完全に切り換えられる／移動される前及び／又は最終位置に到達する前に好ましくは中止される。従って、図１１は、バルブ２８８〜２９４の好ましい作動に対応しない。
【０４９９】
Ｘ軸線は、時間Ｔを秒［ｓ］を単位として表している。
【０５００】
Ｙ軸線は、電流Ｉをアンペア［Ａ］を単位として表している。Ｙ軸線は、電流がバルブ２８８〜２９４又はバルブアクチュエータ２８８Ａ〜２９４Ａによって消費／使用されないことを意味する「０」で始まる、
【０５０１】
従って、バルブ２８８〜２９４及び／又はそのバルブ本体の初期位置では、バルブアクチュエータ２８８Ａ〜２９４Ａに電気エネルギが供給されず、及び／又は電流が消費／使用されないことが好ましい。
【０５０２】
初期位置から最終位置へのバルブ２８８〜２９４及び／又はそのバルブ本体の移動のために、バルブ２８８〜２９４又はバルブアクチュエータ２８８Ａ〜２９４Ａは、電気エネルギで活性化される及び／又は電気エネルギの供給を受ける。しかし、バルブ２８８〜２９４及び／又はそのバルブ本体の初期位置では、バルブアクチュエータ２８８Ａ〜２９４Ａに電気エネルギを供給する及び／又は電流を消費／使用すること、及び初期位置から最終位置へのバルブ２８８〜２９４及び／又はそのバルブ本体の移動のためにバルブ２８８〜２９４又はバルブアクチュエータ２８８Ａ〜２９４Ａを非活性化する及び／又は電源を切り離すことも可能である。
【０５０３】
以下で説明するように、好ましくは、バルブ２８８〜２９４、特に中間バルブ２９０の及び／又はそれによって消費される電流Ｉは、特に当該バルブの作動に関して測定される。
【０５０４】
ここでは、この測定を１つのバルブ２８８〜２９４、特に中間バルブ２９０に関して例示的に説明する。しかし、以下の説明は、バルブ２８８〜２９４のいずれにも好ましくは適用され、及び／又は図１１は、バルブ２８８〜２９４のうちのいずれかに関する時間的電流推移を表している。
【０５０５】
上述のように、バルブ２８８〜２９４は、磁場を発生させるために、プランジャ／コア及び／又はバルブ本体を特に初期位置から最終位置に移動するために、及び／又はバルブ位置を変更するために電流Ｉを使用する。
【０５０６】
起動されている時及び／又はバルブアクチュエータ２８８Ａ〜２９４Ａを活性化する時に、及び／又は磁場を発生させるために、バルブ２８８〜２９４、特にバルブアクチュエータ２８８Ａ〜２９４Ａの電流（消費）は、０Ａから最大電流、特に最終値／第３の値Ｉ３まで最も好ましくは減少する勾配を用いて増加する。
【０５０７】
第３の電流値Ｉ３は、好ましくは、切り換え作動が完了した時及び／又はバルブ２８８〜２９４、特にそのバルブ本体が最終位置にある又はそこに到達した時のバルブ２８８〜２９４、特にそのバルブアクチュエータ２８８Ａ〜２９４Ａの最大電流、最高値、及び／又は使用電流／消費電流である。
【０５０８】
バルブアクチュエータ２８８Ａ〜２９４Ａを活性化する及び／又は磁場を発生させることにより、力が、コア／プランジャ及び／又はバルブ本体に対して好ましくは作用される。
【０５０９】
磁場によってコア／プランジャ及び／又はバルブ本体に対して作用される力は、磁場を発生させると共に及び／又は電流Ｉと共に好ましくは増加する。
【０５１０】
磁場、力、及び／又は電流Ｉのある一定の値が到達された時に、コア／プランジャ及び／又はバルブ本体は、特に初期位置から移動し始め、及び／又はバルブ２８８〜２９４は、その位置を変更し始める。
【０５１１】
バルブアクチュエータ２８８Ａ〜２９４Ａに対するコア／プランジャ及び／又はバルブ本体の移動により、電磁誘導が発生し、及び／又は好ましくはコア／プランジャ及び／又はバルブ本体が移動し終える及び／又はその最終位置に到達するまで（逆）電流が好ましくは生成／誘導される。この誘導される（逆）電流は、好ましくは、（測定される）電流Ｉ及び／又はその勾配に対して影響を有する。
【０５１２】
好ましくは、この電流勾配は、コア／プランジャ及び／又はバルブ本体の移動に起因して、一時的に、すなわち、時点Ｔ１とＴ２の間で負である。
【０５１３】
特に、コア／プランジャ及び／又はバルブ本体の移動に起因して、電磁誘導に起因して、及び／又は（逆）電流誘導に起因して、電流Ｉの（正の）勾配は、特に逆電流誘導がない場合よりも多く／大きく好ましくは（一時的に）低減され、最も好ましくは、コア／プランジャ及び／又はバルブ本体が移動し終える及び／又はその最終位置に到達するまで一時的に負である。
【０５１４】
第１の電流値Ｉ１及び／又は第１の時点Ｔ１に達するまで、電流は、好ましくは増加し、及び／又は電流勾配は、好ましくは正である。
【０５１５】
特に、コア／プランジャ及び／又はバルブ本体の移動に起因して、電磁誘導に起因して、及び／又は（逆）電流誘導に起因して、第１の電流値Ｉ１及び／又は第１の時点Ｔ１において電流増加は好ましくは止まる、及び／又は電流勾配はゼロである。
【０５１６】
その後に及び／又は第２の電流値Ｉ２及び／又は第２の時点Ｔ２に達するまで、コア／プランジャ及び／又はバルブ本体が移動し終える及び／又はその最終位置に到達するまで、及び／又は第１の時点Ｔ１と第２の時点Ｔ２の間では、電流は、好ましくは減少し、及び／又は電流勾配は、好ましくは負である。
【０５１７】
第２の電流値Ｉ２では、第２の時点Ｔ２では、及び／又はコア／プランジャ及び／又はバルブ本体が移動し終えた及び／又はその最終位置に到達した時に、電流減少は好ましくは止まる、及び／又は電流勾配はゼロである。
【０５１８】
従って、第１の電流値Ｉ１は、好ましくは、（局所的）極値（最大値）であり、好ましくは、第１の電流値Ｉ１は、コア／プランジャ及び／又はバルブ本体の移動を示している。
【０５１９】
従って、第１の電流値Ｉ１及び／又は第１の時点Ｔ１は、コア／プランジャの移動（の開始）及び／又はバルブ２８８〜２９４の位置変更（の開始）に対するインジケータとして使用することができる（上述のようにコア／プランジャの移動は、好ましくはそれよりも早く始まるが）。
【０５２０】
コア／プランジャ及び／又はバルブ本体がその最終位置に到達した及び／又は移動し終えた時、及び／又はバルブ２８８〜２９４の位置変更が完了した時に、（逆）電流の生成／誘導及び／又は電流減少は止まり、及び／又は電流勾配はゼロである。
【０５２１】
好ましくは、第２の電流値Ｉ２及び／又は第２の時点Ｔ２では、コア／プランジャ及び／又はバルブ本体は、その最終位置に到達する、移動し終える、及び／又はバルブ２８８〜２９４の位置変更が完了する。
【０５２２】
第２の電流値Ｉ２は、好ましくは、（局所的）極値（最小値）であり、好ましくは、第２の電流値Ｉ２は、コア／プランジャ及び／又はバルブ本体の最終位置、及び／又は位置変更が完了した時、及び／又はコア／プランジャ及び／又はバルブ本体が移動し終えた時を示している。
【０５２３】
第２の電流値Ｉ２及び／又は第１の時点Ｔ２は、コア／プランジャ及び／又はバルブ本体の最終位置、及び／又はコア／プランジャ及び／又はバルブ本体の移動が止まった時、及び／又はコア／プランジャ及び／又はバルブ本体がその最終位置に到達した及び／又は移動し終えた時、及び／又はバルブ２８８〜２９４の位置変更が完了したかを示している。
【０５２４】
その後に、及び／又は時点Ｔ２の後に、及び／又はバルブ２８８〜２９４及び／又はコア／プランジャ及び／又はバルブ本体がその最終位置に到達した後に、（逆）電流は生成／誘導されず、及び／又は特に磁場が完全に発生する及び／又は第３の値Ｉ３に達するまで、電流は好ましくは増加し（再度）、及び／又は電流勾配は好ましくは正である（再度）。
【０５２５】
バルブ２８８〜２９４の電流Ｉを測定することにより、第１の電流値Ｉ１、第１の時点Ｔ１、第２の電流値Ｉ２、及び／又は第２の時点Ｔ２を検出／決定することができる。
【０５２６】
特に、バルブ２８８〜２９４の電流Ｉを測定することにより、電流勾配の低減、及び／又は電流勾配がゼロであるか又は負になった時、及び／又はバルブ２８８〜２９４がその位置を変更し始める時、及び／又はコア／プランジャ及び／又はバルブ本体が移動し始める、及び／又は移動し終える、及び／又はその最終位置に到達する時を検出／決定することができる。
【０５２７】
特に、特に磁場を発生させるためにバルブ２８８〜２９４によって使用／消費される電流Ｉの（局所）最大値は、バルブ２８８〜２９４がその位置を変更し始める及び／又はコア／プランジャ及び／又はバルブ本体が移動し始める時を検出するために決定／検出される。
【０５２８】
好ましくは、第２の時点Ｔ２の前、特に第１の時点Ｔ１で、及び／又はバルブ２８８〜２９４がその最終位置に到達する前、及び／又はコア／プランジャ及び／又はバルブ本体が移動し終える前、及び／又は切り換え作動中、及び／又はコア／プランジャ及び／又はバルブ本体が依然として運動状態にある間、特に第１の（局所的）最大値で、及び／又はバルブ２８８〜２９４がその位置を変更し始めた及び／又はコア／プランジャ及び／又はバルブ本体が移動し始めた時に、電源はオフに切断され、及び／又はバルブ２８８〜２９４及び／又はそのバルブアクチュエータ２８８Ａ〜２９４Ａは起動解除される。
【０５２９】
その後に及び／又は電源がオフに切断された及び／又はバルブ２８８〜２９４及び／又はバルブアクチュエータ２８８Ａ〜２９４Ａが起動解除された後に、電流は、ゼロ（図示せず）まで減少し、及び／又はコア／プランジャ及び／又はバルブ本体は、特に戻り機構２８８Ｂ〜２９４Ｂを用いてその初期位置の中に移動して戻される。
【０５３０】
すなわち、更に別の電流消費が防止される。
【０５３１】
このようにして、切り換え時間及び／又は起動時間、従って、このようにして作動されるバルブ２８８〜２９４の電力消費を低減することができる。
【０５３２】
更に、スイッチング周波数を高めることができ、これは、例えば、中間ガスストレージ２１４Ｉ内の圧力を可能な限り安定した状態に維持することを可能にする。
【０５３３】
上述のように、本方法は、中間バルブ２９０の作動に好ましくは使用される。
【０５３４】
中間ガスストレージ２１４Ｉ内の圧力を増大させるために、好ましくは、中間バルブ２９０を用いて、特に中間バルブ２９０を起動することにより、中間ガスストレージ２１４Ｉは、主ガスストレージ２１４Ｃ及び／又は圧縮器２１４Ｂに好ましくは流体的に接続される。
【０５３５】
中間バルブ２９０の初期位置では、中間ガスストレージ２１４Ｉは、主ガスストレージ２１４Ｃ及び／又は圧縮器２１４Ｂからから好ましくは流体的に切断される。
【０５３６】
中間バルブ２９０のバルブ本体は、中間バルブ２９０の初期位置では及び／又は起動解除／作動停止及び／又は非活性化されている時に、中間ガスストレージ２１４Ｉに接続された中間バルブ２９０のポートと主ガスストレージ２１４Ｃに接続された中間バルブ２９０のポートとを好ましくは流体的に切断する。
【０５３７】
中間バルブ２９０を起動する及び／又はバルブアクチュエータ２９０Ａを活性化すると、バルブ本体は、上述のように移動し始める。
【０５３８】
初期位置からのバルブ本体の移動により、好ましくは、最終位置に到達する前であっても、中間ガスストレージ２１４Ｉと主ガスストレージ２１４Ｃの間、及び／又は中間ガスストレージ２１４Ｉに接続された中間バルブ２９０のポートと主ガスストレージ２１４Ｃに接続された中間バルブ２９０のポートの間に流体的な接続が好ましくは確立される。
【０５３９】
好ましくは、中間バルブ２９０、特にバルブアクチュエータ２９０Ａは、バルブ本体が移動し終える及び／又は最終位置に到達する前、及び／又は第２の時点Ｔ２の前に起動解除及び／又は非活性化される。
【０５４０】
最も好ましくは、中間バルブ２９０、特にバルブアクチュエータ２９０Ａは、バルブ本体が移動し始めた（その初期位置から）（直）後及び／又は時、及び／又は逆電流が誘導された（直）後及び／又は時、及び／又は電流勾配がゼロ及び／又は負になった（直）後及び／又は時、及び／又は中間ガスストレージ２１４Ｉと主ガスストレージ２１４が互いに流体的に接続された（直）後及び／又は時に起動解除及び／又は非活性化される。
【０５４１】
特に、中間バルブ２９０、特にバルブアクチュエータ２９０Ａは、第１の時点Ｔ１及び／又は第１の時点Ｔ１と第２の時点Ｔ２の間で起動解除及び／又は非活性化される。
【０５４２】
好ましくは、特に、中間ガスストレージ２１４Ｉ内の圧力を低減するために、第１の作動バルブ２９２及び／又は第２の作動バルブ２９３を類似の方式で作動させることができる。
【０５４３】
好ましくは、分析器２００、特に加圧ガス供給装置２１４、最も好ましくは、バルブ２８８〜２９４、アクチュエータ装置２０５Ｂ、ポンプ装置１１２及び／又はセンサ装置１１３の点検に向けて、バルブ２８８〜２９４、アクチュエータ装置２０５Ｂ、ポンプ装置１１２、及び／又はセンサ装置１１３の作動に関連付けられた圧力降下及び／又は空気消費が測定される及び／又は通常圧力降下に対応する値と比較される。
【０５４４】
点検に関して、好ましくは第１の段階では、主ガスストレージ２１４Ｃ内の圧力を特に圧縮器２１４Ｂを用いて好ましくはターゲット／点検圧力に達するまで増大させることが好ましい。
【０５４５】
好ましくは、その後に圧縮器２１４Ｂが起動解除される。言い換えれば、主ガスストレージ２１４Ｃは、好ましくは、ターゲット／点検圧力まで１回しか加圧されない。
【０５４６】
その後に及び／又は第２の段階では、アクチュエータ装置２０５Ｂ又は複数のアクチュエータ装置２０５Ｂのうちの１つが、特に関連の作動バルブ２９４を用いて少なくとも１回、好ましくは、繰り返し及び／又は数回起動される。
【０５４７】
好ましくは、アクチュエータ装置２０５Ｂの各作動は、主ガスストレージ２１４Ｃ内で対応する圧力降下／損失及び／又は圧力／空気の消費をもたらし、好ましくは、主ガスストレージ２１４Ｃ内のこれらの圧力降下／損失及び／又は圧力／空気の消費は、特に主圧力センサ２１４Ｈを用いて測定される。
【０５４８】
測定された圧力降下は、好ましくは、制御装置２０７によって基準圧力降下と好ましくは比較される。
【０５４９】
基準圧力降下は、分析器２００の特に制御装置２０７のメモリ内に好ましくは格納される。
【０５５０】
基準圧力降下は、好ましくは、当該の作動に関する通常／予想圧力降下である。
【０５５１】
例えば、アクチュエータ装置２０５Ｂと主ガスストレージ２１４Ｃの間の空気圧ライン２１４Ｍ内の漏出の場合に、圧力降下／空気消費は通常よりも大きい。
【０５５２】
アクチュエータ装置２０５Ｂが適正に機能しない場合に、例えば、その作動要素が詰まっている時に、圧力降下及び／又は空気消費は通常よりも小さい。
【０５５３】
関連の作動バルブ２９４が適正に機能しない／切り換わらない場合に、圧力降下及び／又は空気消費は通常よりも小さい及び／又はアクチュエータ装置２０５Ｂが適正に機能しない場合よりも一層小さい。
【０５５４】
従って、圧力降下を測定することにより、空気圧ライン２１４Ｍ、作動バルブ２９４、及び／又はアクチュエータ装置２０５Ｂが適正に機能するか否かを検出することができる。
【０５５５】
同じ方法で、ポンプ装置１１２、センサ装置１１３、第１の作動バルブ２９２、第２の作動バルブ２９３、スロットルバルブ２９１、及び／又は中間バルブ２９０を点検することができる。
【０５５６】
検査に続いて、センサ装置１１３から測定結果が読み出され、分析器２００内又は外部デバイス（図示せず）内のいずれかで処理される。
【０５５７】
検査に続いて、使用されたカートリッジ１００は、特に持ち上げ装置２３８を用いて好ましくは自動的に吐出される。
【０５５８】
特に、中間ユニット２３０、締結ユニット２３１、及び／又は駆動ヘッド２３３Ｅ、及び従って好ましくはカートリッジ１００も、特に駆動装置２３３、特にそのドライブ２３３Ａを用いて検査位置から移動して戻される。
【０５５９】
その後に、分析器２００又は開口部２１３が開かれる。この目的のために、アクセスカバー／ハウジング部品２１２Ｂは、特に開放装置２３９を用いて移動される。
【０５６０】
カートリッジ１００は、次に、取り出すことができる。特に、カートリッジ１００は、最初に転移位置の中に吐出される又は移動して出される。この吐出又は移動は、特に持ち上げ装置２３８を用いて実施される。その後に、分析器２００は、図７に示す状態になる（再度）。
【０５６１】
最後に、使用されたカートリッジ１００は、転移位置から手動で取り出すことができ、更に別の検査に向けて新しいカートリッジ１００（新しいサンプルＰを閉じ込める）を装填することができる。
【０５６２】
新しいカートリッジ１００が指定期間内に挿入されなかった又は差し込まれなかった場合に、分析器２００は、好ましくは自動的に閉まる。
【０５６３】
分析器２００が開いた後に新しいカートリッジ１００が挿入された場合に、カートリッジ１００は転移位置からそれが全体的に受け入れられた位置に自動的に好ましくは移動される。この目的のために、分析器２００は、カートリッジ１００が部分的に受け入れられているか又は部分的に挿入されているか否かを検出するための検出手段を好ましくは含む。
【０５６４】
分析器２００又は開口部２１３は、好ましくは、自動方式で及び／又は開口部２１３の領域内に物体が存在しない場合にのみ閉じる。この目的に対して、分析器２００は、特に、この領域内に物体が存在する場合にデバイスが閉じられることが自動的に阻止又は防止されるように開口部２１３の領域内の物体を検出するための検出手段を好ましくは含む。
【０５６５】
安全性の理由から、分析器２００は、駆動装置２３３が作動される前、及び／又は中間ユニット２３０が検査位置に移動される前、及び／又はカートリッジ１００が装着、位置決め、及び／又は締結される前に好ましくは閉じられる。
【０５６６】
本発明の個々の態様及び特徴、及び個々の方法段階及び／又は方法変形は、互いに独立に実施することができるが、あらゆる望ましい組合せ及び／又は順序で実施することもできる。
【０５６７】
特に、本発明は、独立に又はあらゆる組合せで、同じく上記に説明した又は特許請求の範囲に説明するあらゆる態様との組合せで実現することができる以下の態様のうちのいずれか１つにも関する。
【０５６８】
１．分析器２００が、加圧ガス供給装置２１４を含み、加圧ガス供給装置２１４が、圧縮器２１４Ｂと、圧縮器２１４Ｂの下流の主ガスストレージ２１４Ｃと、主ガスストレージ２１４Ｃの下流の中間バルブ２９０と、中間バルブ２９０の下流の少なくとも１つの作動バルブ２９２、２９３、２９４とを含み、分析器２００が、中間ガスストレージ２１４Ｉを含み、中間ガスストレージ２１４Ｉが、中間バルブ２９０と作動バルブ２９２、２９３、２９４の間に流体的に配置される、特に生体サンプルＰをカートリッジ１００を用いて検査するための分析器２００。
【０５６９】
２．主ガスストレージ２１４Ｃが、中間ガスストレージ２１４Ｉの容積よりも大きい容積を備えることを特徴とする態様１に記載の分析器。
【０５７０】
３．分析器２００が、主ガスストレージ２１４Ｃ内の圧力を測定するための主圧力センサ２１４Ｈ、及び／又は中間ガスストレージ２１４Ｉ内の圧力を測定するための中間圧力センサ２１４Ｊを含むことを特徴とする態様１又は２に記載の分析器。
【０５７１】
４．分析器２００が、カートリッジ１００を加圧ガス供給装置２１４に空圧的に接続するための接続ユニット２３１を含むことを特徴とする先行態様のいずれかに記載の分析器。
【０５７２】
５．分析器２００、特に接続ユニット２３１が、分析器２００、特に加圧ガス供給装置２１４をカートリッジ１００に空圧的に接続する少なくとも１つの接続要素２１４Ａ、２１４Ｌを含み、接続要素２１４Ａ、２１４Ｌが、流体的に作動バルブ２９２、２９３、２９４の下流に配置される及び／又は加圧ガス供給装置２１４の出口を形成することを特徴とする先行態様のいずれかに記載の分析器。
【０５７３】
６．分析器２００が、カートリッジ１００上の関連のバルブ１１５Ｂを機械的に作動するための少なくとも１つの空圧作動式アクチュエータ２０５Ｂを含み、アクチュエータ２０５Ｂが、中間ガスストレージ２１４Ｉと並列に流体的に配置されることを特徴とする先行態様のいずれかに記載の分析器。
【０５７４】
７．中間バルブ２９０及び／又は作動バルブ２９２、２９３、２９４が、ソレノイドバルブ及び／又は特に３／２有向制御バルブとして構成されることを特徴とする先行態様のいずれかに記載の分析器。
【０５７５】
８．カートリッジ１００内の流体流れを制御するための少なくとも１つの装置１１２、１１３、２０５Ｂが空圧的に作動され、圧縮器２１４Ｂと、圧縮器２１４Ｂの下流の主ガスストレージ２１４Ｃと、主ガスストレージ２１４Ｃの下流の中間バルブ２９０とを有する加圧ガス供給装置２１４を用いて装置１１２、１１３、２０５Ｂに加圧ガスが供給される、特に生体サンプルＰを分析器２００内でカートリッジ１００を用いて検査する方法であって、中間バルブ２９０が、ソレノイドバルブとして具現化され、中間バルブ２９０が、その最終位置に到達する前に起動又は起動解除され、及び／又は中間バルブ２９０の下流に位置付けられた中間ガスストレージ２１４Ｉの圧力が制御されることを特徴とする方法。
【０５７６】
９．中間バルブ２９０の位置が変化し始める時及び／又は中間バルブ２９０のバルブ本体が移動し始める時を決定するために中間バルブ２９０の電流が測定されることを特徴とする態様８に記載の方法。
【０５７７】
１０．中間バルブ２９０を起動又は起動解除するために及び／又は中間バルブ２９０の位置が変化し始める時及び／又は中間バルブ２９０のバルブ本体が移動し始める時を決定するために中間バルブ２９０の電流勾配の変化、特に電流の局所的極値が決定されることを特徴とする態様８又は９に記載の方法。
【０５７８】
１１．装置１１２、１１３が、カートリッジ１００に配置されることを特徴とする態様８から１０のいずれかに記載の方法。
【０５７９】
１２．複数の装置１１２、１１３、２０５Ｂが、加圧ガス供給装置２１４、特に中間ガスストレージ２１４Ｉを用いて空圧的に作動され、複数の装置１１２、１１３、２０５Ｂのうちの１つが、流体を搬送するためのポンプ装置１１２として具現化され、及び／又は複数の装置１１２、１１３、２０５Ｂのうちの１つが、サンプルＰの検体を検出するためのセンサ装置１１３として具現化されることを特徴とする態様８から１１のいずれかに記載の方法。
【０５８０】
１３．カートリッジ１００が、分析器２００によって受け入れられ、検査を実施するために分析器２００に機械的、電気的、熱的、及び／又は流体的に結合されることを特徴とする態様８から１２のいずれかに記載の方法。
【０５８１】
１４．分析器２００が、特に生体サンプルＰをカートリッジ１００を用いて検査するように適応され、カートリッジ１００内の流体流れを制御するための少なくとも１つの装置１１２、１１３、２０５Ｂが空圧的に作動され、圧縮器２１４Ｂと圧縮器２１４Ｂの下流の主ガスストレージ２１４Ｃとを有する加圧ガス供給装置２１４を用いて装置１１２、１１３、２０５Ｂに加圧ガスが供給され、分析器２００を点検するために装置１１２、１１３、２０５Ｂの作動に関連付けられた圧力降下が測定される、分析器２００を点検する方法。
【０５８２】
１５．分析器２００が、態様１から７のいずれかに従って構成されることを特徴とする態様８から１４のいずれかに記載の方法。
【０５８３】
参照符号のリスト
１００  カートリッジ
１００Ａ  前面
１００Ｂ  背面
１０１  主本体
１０１Ｅ  凹部
１０２  カバー
１０３  流体システム
１０４  受け入れキャビティ
１０５  計量キャビティ
１０６  中間キャビティ
１０７  混合キャビティ
１０８  ストレージキャビティ
１０９  反応キャビティ
１１０  中間温度制御キャビティ
１１１  回収キャビティ
１１２  ポンプ装置
１１３  センサ装置
１１３Ｅ  接点
１１３Ｈ  中心領域
１１４  チャネル
１１５  バルブ
１１５Ａ  初期閉鎖バルブ
１１５Ｂ  初期／通常開放バルブ
１１６  センサ部分
１２１  縁部
１２２  補強リブ
１２３  把持部分
１２６  位置決め部分
１２９  接続部
１３０  閉鎖要素
２００  分析器
２０１  レセプタクル
２０２  ポンプドライブ
２０２Ａ  モータ
２０２Ｂ  ポンプヘッド
２０３  接続装置
２０３Ａ  接触要素
２０４  温度制御装置
２０４Ａ  反応温度制御装置
２０４Ｂ  中間温度制御装置
２０４Ｃ  センサ温度制御装置
２０５  アクチュエータ装置
２０５Ａ  １１５Ａに対するアクチュエータ装置
２０５Ｂ  １１５Ｂに対するアクチュエータ装置
２０６  センサ
２０６Ａ  流体センサ
２０６Ｂ  他のセンサ
２０７  制御装置
２０８  入力装置
２０９  表示装置
２１０  インタフェース
２１１  電源
２１１Ａ  接続部
２１２  ハウジング
２１２Ａ  内部空間
２１２Ｂ  アクセスカバー／ハウジング部品
２１２Ｃ  ベース
２１２Ｄ  上部
２１３  開口部
２１４  加圧ガス供給装置
２１４Ａ  第１の接続要素
２１４Ｂ  圧縮器
２１４Ｃ  主ガスストレージ
２１４Ｄ  入口
２１４Ｅ  フィルタ
２１４Ｆ  入口サイレンサ
２１４Ｇ  入口ガスストレージ
２１４Ｈ  主圧力センサ
２１４Ｉ  中間ガスストレージ
２１４Ｊ  中間圧力センサ
２１４Ｋ  出口サイレンサ
２１４Ｌ  第２の接続要素
２１４Ｍ  空気圧ライン
２３０  受け入れ／中間ユニット
２３１  接続ユニット
２３１Ａ  担持部分
２３１Ｂ  支持領域
２３１Ｃ  係合部分
２３１Ｄ  主本体
２３２  締結ユニット
２３３  ドライブ
２３３Ａ  ドライブ
２３３Ｄ  シャフト
２３３Ｅ  駆動ヘッド
２３４  案内装置
２３４Ａ  第１のガイド
２３４Ｂ  第２のガイド
２３４Ｃ  第１のレール
２３４Ｄ  第２のレール
２３４Ｅ  主ブッシュ
２３７  （装着）ラック
２３７Ａ  装着面
２３８  持ち上げ装置
２３８Ｂ  保持要素
２３９  開放装置
２３９Ａ  ドライブ
２３９Ｃ  支持体
２３９Ｄシャフト
２８０  締結システム
２８１  通気装置
２８２  電子ユニット
２８３  緩衝体
２８３Ａ  ベース
２８３Ｂ  上部
２８３Ｄ  内部
２８４  第１のカプリング
２８５  第２のカプリング
２８６  検出装置
２８８  排出バルブ
２８８Ａ  バルブアクチュエータ
２８８Ｂ  戻り機構
２８９Ａ  バルブアクチュエータ
２８９Ｂ  戻り機構
２８９  主バルブ
２９０  中間バルブ
２９０Ａ  バルブアクチュエータ
２９０Ｂ  戻り機構
２９１  スロットルバルブ
２９２  第１の作動バルブ
２９２Ａ  バルブアクチュエータ
２９２Ｂ  戻り機構
２９３  第２の作動バルブ
２９３Ａ  バルブアクチュエータ
２９３Ｂ  戻り機構
２９４  第３の作動バルブ
２９４Ａ  バルブアクチュエータ
２９４Ｂ  戻り機構
ＡＧ１  第１の案内軸線
ＡＧ２  第２の案内軸線
ＡＡ  作動軸線
Ｉ  電流
Ｉ１  第１の電流値
Ｉ２  第２の電流値
Ｉ３  第３の電流値
Ｆ  液体試薬
Ｈ  カートリッジの主平面
Ｐ  サンプル
Ｓ  乾燥試薬
Ｔ  時間
Ｔ１  第１の時点
Ｔ２  第２の時点
【図１】
2022501610.tif 000003
【図２】
2022501610.tif 000004
【図３】
2022501610.tif 000005
【図４】
2022501610.tif 000006
【図５】
2022501610.tif 000007
【図６】
2022501610.tif 000008
【図７】
2022501610.tif 000009
【図８】
2022501610.tif 000010
【図９】
2022501610.tif 000011
【図１０】
2022501610.tif 000012
【図１１】
2022501610.tif 000013
【国際調査報告】
2022501610.tif 000014
2022501610.tif 000015
2022501610.tif 000016